(57)【要約】【課題】ロングヘアに対応することができるとともに、一旦捕捉した白髪を脱落させるおそれがなく、白髪等毛髪の根本の位置で切断でき、予期しない位置で切断することがなく、操作が容易で、安全に切断処理を行うことができるとともに、シラミ駆除にも効果のある毛髪切り器を提供する。【解決手段】白髪切り器５は、フレーム部１０と、切断部２０と、付勢部８０と、台部１００とを有し、切断部２０は、筒状部５２を有する操作部５０と、筒状部５２の下端に固定され、ケース部３０の内部に設けられた、刃部を有する切断部本体とを有している。該切断部本体は、ケース部３０内で付勢部により上方に付勢されている。切断部２０と台部１００間には、挟持具２００を挟持できるようになっている。また、フレーム部を上側フレームと下側フレームに分けて構成し、上下方向に伸縮するようにするのが好ましい。【選択図】図１
2008220942.tif 000002
【特許請求の範囲】
【請求項１】
白髪を切るための白髪切り器であって、
上面部と、上面部の両側から下方に互いに対向して設けられた一対の側面部と、該一対の側面部から下端に設けられた底面部とを有し、全体に筒状を呈するフレーム部と、
切断用の刃部が設けられた部材である切断部本体と、切断部本体を上下動可能に収納するとともに底面に刃部が露出するための開口が設けられ、底面の角部には突起部が設けられたケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する第１付勢部と、を有する切断部と、
操作部をフレーム部に対して上方に付勢する第２付勢部と、
フレーム部における底面部の上面に設けられた弾性部と、
該弾性部の上端に設けられた台部と、
を有し、
白髪を挟持するための挟持具を切断部と台部との間に挟んだ状態で支持可能であるとともに、該挟持具を白髪切り器から取外し可能であることを特徴とする白髪切り器。
【請求項２】
上記操作部が、切断部本体に接続された筒状部と、該筒状部の上端に設けられ、筒状部の外径よりも径の大きい頭部とを有し、上記第２付勢部は、頭部とフレーム部間に設けられていることを特徴とする請求項１に記載の白髪切り器。
【請求項３】
白髪を切るための白髪切り器であって、
上面部と、上面部の両側から下方に互いに対向して設けられた一対の側面部と、該一対の側面部から下端に設けられた底面部とを有し、全体に筒状を呈するフレーム部と、
切断用の刃部が設けられた部材である切断部本体と、切断部本体を上下動可能に収納するとともに底面に刃部が露出するための開口が設けられ、底面の角部には突起部が設けられたケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する上向き付勢部と、を有する切断部と、
ケース部をフレーム部に対して下方に付勢する下向き付勢部と、
フレーム部における底面部の上面に設けられた弾性部と、
該弾性部の上端に設けられた台部と、
を有し、
白髪を挟持するための挟持具を切断部と台部との間に挟んだ状態で支持可能であるとともに、該挟持具を白髪切り器から取外し可能であり、挟持具を白髪切り器から取り外した状態では、ケース部の突起部が台部の上面に接した状態となることを特徴とする白髪切り器。
【請求項４】
上記フレーム部における上面部と一対の側面部と底面部とが板状を呈するとともに、上記ケース部が、略直方体形状を呈し、ケース部の両側の側面部が、フレーム部の側面部に沿って上下方向に摺動することを特徴とする請求項１又は２又は３に記載の白髪切り器。
【請求項５】
白髪切り器に使用する挟持具が、白髪を先端で挟持するための一対の細長状のレッグ部を有し、先端が閉状態になるように付与している力を解除させると、開状態に戻る弾性を有した一対のレッグ部を有し、一対のレッグ部の一方を切断部側とし、他方を台部側として、挟持具を切断部と台部の間に挟んだ状態で支持可能であることを特徴とする請求項１又は２又は３又は４に記載の白髪切り器。
【請求項６】
上記切断部のケース部と台部とには、白髪を挟持するための挟持具を白髪切り器内に挿入する際のガイドとなるガイド部が設けられ、ケース部に設けられたガイド部と台部に設けられたガイド部とで略テーパ状に形成されていることを特徴とする請求項１又は２又は３又は４又は５に記載の白髪切り器。
【請求項７】
白髪を切るための白髪切り器セットであって、
請求項１又は２又は３又は４又は５又は６に記載の白髪切り器と、
白髪を挟持するための挟持具で、切断部と台部との間に挟んだ状態で支持する挟持具と、
を有することを特徴とする白髪切り器セット。
【請求項８】
上記挟持具が、白髪を先端で挟持するための一対の細長状のレッグ部と、該一対のレッグ部の先端を閉じた状態で保持するための保持手段と、を有することを特徴とする請求項７に記載の白髪切り器セット。
【請求項９】
毛髪を切るための毛髪処理器であって、
全体に四角筒状を呈するフレーム部で、板状の上面部と、上面部の両側から下方に互いに対向して設けられた一対の板状の第１側面部とを有し、該上面部と該一対の第１側面部とで略コ字状に形成された上側フレームと、板状の底面部と、底面部の両側から上方に互いに対向して設けられた一対の板状の第２側面部とを有し、該底面部と該一対の第２側面部とで略コ字状に形成された下側フレームとを有し、第１側面部の一方が第２側面部の一方に沿ってスライドし、第１側面部の他方が第２側面部の他方に沿ってスライドすることにより上下方向に伸縮可能に形成されたフレーム部と、
切断用の刃部が設けられた部材である切断部本体と、切断部本体を上下動可能に収納するとともに底面に刃部が露出するための開口が設けられ、底面が平面状に形成されたケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する第１付勢部と、を有する切断部と、
操作部をフレーム部に対して上方に付勢する第２付勢部と、
フレーム部における底面部の上面に設けられた弾性部と、
該弾性部の上端に設けられた台部で、その上面が平面状に形成された台部と、
を有し、
フレーム部を伸ばした状態の場合には、毛髪を挟持するための挟持具を切断部と台部との間に挟んだ状態で支持可能であるとともに、該挟持具を毛髪処理器から取外し可能であり、
ケース部の底面の両側の端部及び／又は台部の上面の両側の端部に突起部が設けられ、フレーム部を縮めた場合に、ケース部の底面と台部の上面とが該突起部を介して対向した状態となることを特徴とする毛髪処理器。
【請求項１０】
毛髪処理器に使用する挟持具が、毛髪を先端で挟持するための一対の細長状のレッグ部を有し、先端が閉状態になるように付与している力を解除させると、開状態に戻る弾性を有した一対のレッグ部を有し、一対のレッグ部の一方を切断部側とし、他方を台部側として、挟持具を切断部と台部の間に挟んだ状態で支持可能であることを特徴とする請求項９に記載の毛髪処理器。
【請求項１１】
上記操作部が、切断部本体に接続された筒状部と、該筒状部の上端に設けられ、筒状部の外径よりも径の大きい頭部とを有し、上記第２付勢部は、頭部とフレーム部間に設けられていることを特徴とする請求項９又は１０に記載の毛髪処理器。
【請求項１２】
上記切断部のケース部と台部とには、毛髪を挟持するための挟持具を毛髪処理器内に挿入する際のガイドとなるガイド部が設けられ、ケース部に設けられたガイド部と台部に設けられたガイド部とで略テーパ状に形成されていることを特徴とする請求項９又は１０又は１１に記載の毛髪処理器。
【請求項１３】
フレーム部における側面部を構成する一対の第１側面部と一対の第２側面部において内側に位置する側面部に、該内側に位置する側面部に固着された板状のガイド部側面部と、挟持具を挿入する側を正面側とした場合に、ガイド部側面部の正面側の端部から内側に連設された帯板状のガイド部正面部と、ガイド部側面部の背面側の端部から内側に連設された帯板状のガイド部背面部とを有し、ガイド部側面部とガイド部正面部とガイド部背面部とで略コ字状の板状に形成されたガイド部が固着して設けられていて、ケース部と台部とは、一対のガイド部の内側に設けられ、一対のガイド部の内側に沿って上下方向に摺動することを特徴とする請求項９又は１０又は１１又は１２に記載の毛髪処理器。
【請求項１４】
上記ガイド部が、フレーム部の側面部に固着され、略コ字状の板状を呈する外側ガイド部と、外側ガイド部の内側に外側ガイド部に対して上下方向にスライド可能に摺接して設けられ、略コ字状の板状を呈する内側ガイド部とを有することにより伸縮自在に形成され、内側ガイド部の下端には台部の側方の端部に掛止するための掛止部が設けられていることを特徴とする請求項１３に記載の毛髪処理器。
【請求項１５】
切断部本体において、刃部が一対設けられていることを特徴とする請求項９又は１０又は１１又は１２又は１３又は１４に記載の毛髪処理器。
【請求項１６】
毛髪を切るための毛髪処理器セットであって、
請求項９又は１０又は１１又は１２又は１３又は１４又は１５に記載の毛髪処理器と、
毛髪処理器の切断部と台部との間に挟んだ状態で支持するとともに、毛髪を挟持するための挟持具で、毛髪を先端で挟持するための一対の細長状のレッグ部と、該一対のレッグ部の先端を閉じた状態で保持するための保持手段と、を有する挟持具と、
を有することを特徴とする毛髪処理器セット。
【請求項１７】
上記毛髪処理器セットが、さらに、挟持具を毛髪処理器におけるケース部と台部の間に挿通した状態で保持するための保持具で、挟持具を毛髪処理器におけるケース部と台部の間に挿通し、毛髪処理器から突出した一対のレッグ部の先端部分の一方の側部を収納する溝部が設けられた板状の第１カバー部と、一対のレッグ部の先端部分の他方の側部を収納する溝部が設けられた板状の第２カバー部と、第１カバー部と第２カバー部とを連結し、保持具を挟持具の先端に装着した状態では、一対のレッグ部の間の位置に配置される軸部と、を有する保持具を有し、挟持具を毛髪処理器におけるケース部と台部の間に挿通した状態で挟持部の一対のレッグ部の先端に装着することにより、挟持具が毛髪処理器から脱落するのを防止することを特徴とする請求項１６に記載の毛髪処理器セット。
【請求項１８】
毛髪を抜くための毛髪抜き器であって、
上面部と、上面部の両側から下方に互いに対向して設けられた一対の側面部と、該一対の側面部から下端に設けられた底面部とを有し、全体に筒状を呈するフレーム部と、
フレーム部における底面部の上面に設けられた第１弾性部と、
該第１弾性部の上端に設けられた台部で、その上面の少なくとも一部が平面状に形成された台部と、
フレーム部における上面部の下面に設けられた第２弾性部と、
該第２弾性部の下端に設けられた押さえ部で、その下面の少なくとも一部が平面状に形成された押さえ部と、
を有し、
毛髪を挟持するための挟持具を押さえ部と台部との間に挟んだ状態で支持可能であるとともに、該挟持具を毛髪抜き器から取外し可能であることを特徴とする毛髪抜き器。
【発明の詳細な説明】
【技術分野】
【０００１】
本発明は、白髪切り器、毛髪処理器及び毛髪抜き器に関するものであり、特に、ロングヘアに適用可能な白髪切り器、毛髪処理器及び毛髪抜き器に関するものである。
【背景技術】
【０００２】
従来より、白髪を切るための装置として種々のものが存在する。例えば、白髪を挟む挟持具と、挟持具によって挟んだ白髪を切り取るためのカッタと、挟持具とカッタを保持する案内レールとを備え、挟持具とカッタが案内レールに沿って相対移動可能である白髪切り取り器が存在する（特許文献１）。
【０００３】
また、一対の刃部が開閉自在となるよう支承された鋏で、鋏本体の閉状態で小孔形状となる白髪導入用の補足スライド開口部を刃部の切れ口先端側に設けたものが存在する（特許文献２）。
【０００４】
また、はさみの先をＶ字型に開け、Ｖ字型の一番奥からはさみの奧に向かって、髪が通るくらいの隙間を開け、隙間の一番奥を髪を切る箇所として、この箇所に刃を設けるはさみが存在する（特許文献３）。
【０００５】
また、漏斗状の溝部を穿った円盤状の板とカッターとを備えた白髪切り器が存在する（特許文献４）。
【特許文献１】実開平１−１０８２０５号公報
【特許文献２】特開平９−７５５６１号公報
【特許文献３】特開２００６−３２６２４７号公報
【特許文献４】特開２００５−６６２８２号公報  また、従来における毛髪抜き器としては、いわゆる毛抜きとして知られているもので、一対のレッグ部を有し、一対のレッグ部の先端で毛を挟んで抜くものが知られている。
【発明の開示】
【発明が解決しようとする課題】
【０００６】
しかし、上記特許文献１に記載の白髪切り器においては、挟持具が案内レールに沿って相対移動し、案内レールの長さが有限であることから、ロングヘア、すなわち、長い髪には適用できないという問題があった。つまり、特許文献１に記載の白髪切り器においては、挟持具は案内レールの最後端位置までしか移動できないので、切ることができる髪の長さに限界があり、白髪等の毛髪の根本の位置で切断するのは困難である。また、特許文献１の構成でロングヘアに対応しようとすると案内レールを長くしなければならず、案内レールをあまり長くすると操作が困難となる。
【０００７】
また、特許文献１に記載の白髪切り器においては、カッタの先端が常に露出しているため、予期しない位置で白髪を切ってしまうおそれがある。つまり、白髪を挟持した状態の挟持具を案内レールに沿って後端側にスライドさせている途中で誤ってカッタを押してしまうと白髪を十分根本の位置で切ることができないという問題がある。また、カッタの先端が常に露出していると、安全上も好ましくないという問題があった。
【０００８】
また、上記特許文献３に記載のはさみにおいては、はさみの先をＶ字型とし、Ｖ字型の奧から隙間を形成しているので、切断対象の白髪を一旦隙間内に捕捉しても、切断する前に隙間から脱落してしまうおそれがある。同様に、上記特許文献２に記載の鋏においては、捕捉スライド開口部内に白髪を捕捉したとしても、はさみの先端を誤って開口させてしまうと、捕捉した白髪が切断前に脱落してしまうおそれがある。また、上記特許文献４に記載の白髪切り器においても、漏斗状の溝部内に白髪を捕捉しても、捕捉した白髪が切断前に脱落してしまうおそれがある。さらに、特に、特許文献２や特許文献３に記載のものでは、はさみで切る操作をしなければならないため操作が面倒であるという問題がある。
【０００９】
また、近時、人間の頭部にシラミが寄生することが問題になっており、すき櫛と薬剤が推奨されているが、すき櫛では十分すききれず、また、薬剤の効かないタイプのシラミも出現しており、シラミを効果的に駆除することが期待されている。
【００１０】
また、従来における毛抜きでは、必要以上の力で抜いてしまうのが実情であり、痛みを伴うという問題があった。
【００１１】
そこで、本発明は、ロングヘアに対応することができるとともに、一旦捕捉した白髪を脱落させるおそれがなく、白髪等毛髪の根本の位置で切断でき、予期しない位置で切断することがなく、操作が容易で、安全に切断処理を行うことができるとともに、シラミ駆除にも効果のある白髪切り器、毛髪切り器を提供するとともに、毛を抜く際の痛みを緩和できる毛髪抜き器を提供することを目的とするものである。
【課題を解決するための手段】
【００１２】
本発明は上記問題点を解決するために創作されたものであって、第１には、白髪を切るための白髪切り器（「毛髪処理器」としてもよい。以下においても同じ）であって、上面部と、上面部の両側から下方に互いに対向して設けられた一対の側面部と、該一対の側面部から下端に設けられた底面部とを有し、全体に筒状を呈するフレーム部と、切断用の刃部が設けられた部材である切断部本体と、切断部本体を上下動可能に収納するとともに底面に刃部が露出するための開口が設けられ、底面の角部には突起部が設けられたケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する第１付勢部と、を有する切断部と、操作部をフレーム部に対して上方に付勢する第２付勢部と、フレーム部における底面部の上面に設けられた弾性部と、該弾性部の上端に設けられた台部と、を有し、白髪を挟持するための挟持具を切断部と台部との間に挟んだ状態で支持可能であるとともに、該挟持具を白髪切り器から取外し可能であることを特徴とする。
【００１３】
この第１の構成の白髪切り器においては、毛抜き等のように白髪を挟持することができる挟持具を切断部と台部との間に挟んだ状態で支持させる。台部は弾性部の上端に設けられているので、挟持具を脱落させることなく支持することができる。そして、挟持具により白髪の先端を挟持させ、その後、白髪を挟持具により挟持した状態で、白髪切り器を白髪の根本側に若干移動させる。その際、挟持具を白髪切り器から取り外すようにして、白髪切り器を挟持具から離して、白髪切り器を白髪の根本側に若干移動させる。その状態で、操作部を第２付勢部に抗して押し操作することにより、押し操作することにより加えた力が第１付勢部を介してケース部に伝わるので、ケース部がフレーム部に対して下方に移動して、突起部が台部の上面に接した状態となる。これにより、ケース部の底面と、台部の上面と、突起部とによって、白髪を挿通する空間が形成される。そして、その状態で、白髪切り器を白髪の根本に移動させたら、操作部をさらに押し操作して（つまり、深押しして）、第１付勢部に抗して切断部本体をケース部に対して下降させ、刃部をケース部から露出させて、白髪を切断する。
【００１４】
本発明の白髪切り器によれば、挟持具により白髪を挟持したら、挟持具を白髪切り器に対して取り外した状態として白髪切り器を白髪の根本にまで移動させて白髪を切ることができるので、ロングヘアにも対応することができる。つまり、挟持具を白髪切り器に対して着脱自在として、挟持具により毛髪を挟持したら、白髪切り器を挟持具から外して、白髪切り器を毛髪の根本にまで移動させて毛髪を切ることができるので、ロングヘアにも対応できる。また、フレーム部が枠状に形成されているので、挟持具により一旦捕捉した白髪を脱落させるおそれがなく、確実に捕捉した白髪を切ることができる。また、操作部を押していない状態（特に、深押ししていない状態）では、刃部は、ケース部から露出していないので、白髪切り器を白髪の根本側に移動させる際に誤って白髪に刃が接してしまい、白髪の途中の予期しない位置で切断してしまうおそれがなく、また、刃部は、操作部を押していない状態（特に、深押ししていない状態）では露出していないので、安全に切断処理を行うことができる。さらに、白髪の切断を行う際には、操作部に押し操作を行うのみで切断をすることができるので、操作が容易である。また、突起部が台部の上面に接した状態の場合に、ケース部の底面と、台部の上面と、突起部とによって、白髪を挿通する空間が形成されるので、円滑に白髪切り器を白髪の根本側に移動させることができる。また、ケース部の底面に突起部が設けられていることにより、ケース部の底面と台部の上面を略平行にでき、白髪を確実に切断することが可能となる。また、台部が弾性部に支持されているので、刃部が台部の上面に対して適度な衝撃で当たることになり、刃部の刃先を保護することが可能となる。
【００１５】
また、特に、本発明の白髪切り器によれば、毛髪の根本近くで毛髪を切断することができるので、近時問題となっている人間の頭部に生み付けられたシラミの卵の駆除にも用いることができる。
【００１６】
また、台部が弾性部に支持された構成となっているので、本発明の白髪切り器は、白髪切り器としての機能のみならず、毛抜き機能も有している。つまり、白髪等毛髪をケース部と台部の間に挿通した状態とし、フレーム部を縮めた状態で毛髪の根本側に毛髪処理器を移動させ、その後、毛髪を台部に乗せた状態で毛髪で台部を下方に押さえるように、毛髪を斜め下方に引っ張る。すると、毛髪を引っ張る力が台部の正面側の角部に伝わり、次に、台部の背面側の角部に伝わり、最後に毛根に伝わり、台部が下方に押さえられることにより弾性部が縮められ、弾性部が縮められた状態からもとに戻ろうとする力に毛根が抗しきれなかった時に、毛髪が毛根から抜ける。このように、毛髪を引っ張る力を台部の正面側の角部と背面側の角部に分散させることにより最小限の力で毛髪を抜くことができ、毛髪を抜く際の痛みを最小限に抑えることができる。
【００１７】
なお、上記第１の構成において、切断部本体において、刃部が一対設けられ、該一対の刃部が、切断部本体に接続された操作部を介して対称の位置に設けられているのが好ましい。
【００１８】
また、第２には、上記第１の構成において、上記操作部が、切断部本体に接続された筒状部と、該筒状部の上端に設けられ、筒状部の外径よりも径の大きい頭部とを有し、上記第２付勢部は、頭部とフレーム部間に設けられていることを特徴とする。
【００１９】
また、第３には、白髪を切るための白髪切り器であって、上面部と、上面部の両側から下方に互いに対向して設けられた一対の側面部と、該一対の側面部から下端に設けられた底面部とを有し、全体に筒状を呈するフレーム部と、切断用の刃部が設けられた部材である切断部本体と、切断部本体を上下動可能に収納するとともに底面に刃部が露出するための開口が設けられ、底面の角部には突起部が設けられたケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する上向き付勢部と、を有する切断部と、ケース部をフレーム部に対して下方に付勢する下向き付勢部と、フレーム部における底面部の上面に設けられた弾性部と、該弾性部の上端に設けられた台部と、を有し、白髪を挟持するための挟持具を切断部と台部との間に挟んだ状態で支持可能であるとともに、該挟持具を白髪切り器から取外し可能であり、挟持具を白髪切り器から取り外した状態では、ケース部の突起部が台部の上面に接した状態となることを特徴とする。
【００２０】
この第３の構成の白髪切り器においては、毛抜き等のように白髪を挟持することができる挟持具を切断部と台部との間に挟んだ状態で支持させる。つまり、下向き付勢部に抗してケース部を持ち上げるようにして、挟持具を切断部と台部との間に挟んだ状態で支持させる。そして、挟持具により白髪の先端を挟持させ、その後、白髪を挟持具により挟持した状態で、白髪切り器を白髪の根本側に移動させる。その際、挟持具を白髪切り器から取り外すようにして、白髪切り器を挟持具から離して、白髪切り器を白髪の根本側に移動させる。その際、下向き付勢部によりケース部が下降して、突起部が台部の上面に接した状態となり、ケース部の底面と、台部の上面と、突起部とによって、白髪を挿通する空間が形成され、円滑に白髪切り器を白髪の根本側に移動させることができる。白髪切り器を白髪の根本の位置まで移動させたら、操作部を押し操作することにより、上向き付勢部の付勢に抗して切断部本体がケース部内を下方に移動し、刃部がケース部の底面から露出するので、露出した刃部により、白髪を切断する。
【００２１】
本発明の白髪切り器によれば、挟持具により白髪を挟持したら、挟持具を白髪切り器に対して取り外した状態として白髪切り器を白髪の根本にまで移動させて白髪を切ることができるので、ロングヘアにも対応することができる。また、フレーム部が枠状に形成されているので、挟持具により一旦捕捉した白髪を脱落させるおそれがなく、確実に捕捉した白髪を切ることができる。また、操作部を押していない状態では、刃部は、ケース部から露出していないので、白髪切り器を白髪の根本側に移動させる際に誤って白髪に刃が接してしまい、白髪の途中の予期しない位置で切断してしまうおそれがなく、また、刃部は、操作部を押していない状態では露出していないので、安全に切断処理を行うことができる。さらに、白髪の切断を行う際には、操作部に押し操作を行うのみで切断をすることができるので、操作が容易である。また、白髪切り器を白髪の根本側に移動させる際には、操作部を押し操作している必要がないので、操作が容易である。
【００２２】
また、第４には、上記第１から第３までのいずれかの構成において、上記フレーム部における上面部と一対の側面部と底面部とが板状を呈するとともに、上記ケース部が、略直方体形状を呈し、ケース部の両側の側面部が、フレーム部の側面部に沿って上下方向に摺動することを特徴とする。よって、ケース部がフレーム部に対して円滑に摺動することができる。
【００２３】
また、第５には、上記第１から第４までのいずれかの構成において、白髪切り器に使用する挟持具が、白髪を先端で挟持するための一対の細長状のレッグ部を有し、先端が閉状態になるように付与している力を解除させると、開状態に戻る弾性を有した一対のレッグ部を有し、一対のレッグ部の一方を切断部側とし、他方を台部側として、挟持具を切断部と台部の間に挟んだ状態で支持可能であることを特徴とする。よって、挟持具自身の弾性によっても、挟持具を切断部と台部の間に支持させることができる。
【００２４】
また、第６には、上記第１から第５までのいずれかの構成において、上記切断部のケース部と台部とには、白髪を挟持するための挟持具を白髪切り器内に挿入する際のガイドとなるガイド部が設けられ、ケース部に設けられたガイド部と台部に設けられたガイド部とで略テーパ状に形成されていることを特徴とする。よって、挟持具をケース部と台部との間に円滑に挿入して支持させることができる。
【００２５】
また、第７には、白髪を切るための白髪切り器セットであって、上記第１又は２又は３又は４又は５又は６の構成の白髪切り器と、白髪を挟持するための挟持具で、切断部と台部との間に挟んだ状態で支持する挟持具と、を有することを特徴とする。
【００２６】
本発明の白髪切り器セットによれば、挟持具により白髪を挟持したら、挟持具を白髪切り器に対して取り外した状態として白髪切り器を白髪の根本にまで移動させて白髪を切ることができるので、ロングヘアにも対応することができる。また、フレーム部が枠状に形成されているので、挟持具により一旦捕捉した白髪を脱落させるおそれがなく、確実に捕捉した白髪を切ることができる。また、操作部を押していない状態では、刃部は、ケース部から露出していないので、白髪切り器を白髪の根本側に移動させる際に誤って白髪に刃が接してしまい、白髪の途中の予期しない位置で切断してしまうおそれがなく、また、刃部は、操作部を押していない状態では露出していないので、安全に切断処理を行うことができる。さらに、白髪の切断を行う際には、操作部に押し操作を行うのみで切断をすることができるので、操作が容易である。
【００２７】
また、第８には、上記第７の構成において、上記挟持具が、白髪を先端で挟持するための一対の細長状のレッグ部と、該一対のレッグ部の先端を閉じた状態で保持するための保持手段と、を有することを特徴とする。この保持手段としては、例えば、一方のレッグ部の内側に設けられ、レッグ部に沿ってスライドする筒状部と、他方のレッグ部の内側に設けられ、該筒状部が掛止する被掛止部とからなり、筒状部を被掛止部に掛止した状態では、一対のレッグ部の先端が閉じた状態となる構成が挙げられる。
【００２８】
この第８の構成の白髪切り器セットにおいては、挟持具に保持手段が設けられているので、挟持具を閉状態に保つことができ、白髪をフレーム部内に通した後でも挟持具で白髪の先端部分を挟持させておくことにより、一旦フレーム部に通した白髪を誤ってフレーム部内から逃してしまうおそれがなく、特に、シラミの卵が付着した白髪をまき散らしてしまうおそれがない。また、白髪をフレーム部内に通した後でも挟持具が白髪の先端部分を挟持させておくことができるので、挟持具を誤って落としてしまうことがない。
【００２９】
なお、上記第７又は第８の構成において、白髪切り器に使用する挟持具が、白髪を先端で挟持するための一対の細長状のレッグ部を有し、先端が閉状態になるように付与している力を解除させると、開状態に戻る弾性を有した一対のレッグ部を有し、一対のレッグ部の一方を切断部側とし、他方を台部側として、挟持具を切断部と台部の間に挟んだ状態で支持可能とするのが好ましい。
【００３０】
また、第９には、毛髪を切るための毛髪処理器であって、全体に四角筒状を呈するフレーム部で、板状の上面部と、上面部の両側から下方に互いに対向して設けられた一対の板状の第１側面部とを有し、該上面部と該一対の第１側面部とで略コ字状に形成された上側フレームと、板状の底面部と、底面部の両側から上方に互いに対向して設けられた一対の板状の第２側面部とを有し、該底面部と該一対の第２側面部とで略コ字状に形成された下側フレームとを有し、第１側面部の一方が第２側面部の一方に沿ってスライドし、第１側面部の他方が第２側面部の他方に沿ってスライドすることにより上下方向に伸縮可能に形成されたフレーム部と、切断用の刃部が設けられた部材である切断部本体と、切断部本体を上下動可能に収納するとともに底面に刃部が露出するための開口が設けられ、底面が平面状に形成されたケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する第１付勢部と、を有する切断部と、操作部をフレーム部に対して上方に付勢する第２付勢部と、フレーム部における底面部の上面に設けられた弾性部と、該弾性部の上端に設けられた台部で、その上面が平面状に形成された台部と、を有し、フレーム部を伸ばした状態の場合には、毛髪を挟持するための挟持具を切断部と台部との間に挟んだ状態で支持可能であるとともに、該挟持具を毛髪処理器から取外し可能であり、ケース部の底面の両側の端部及び／又は台部の上面の両側の端部に突起部が設けられ、フレーム部を縮めた場合に、ケース部の底面と台部の上面とが該突起部を介して対向した状態となることを特徴とする。
【００３１】
この第９の構成の毛髪処理器においては、毛抜き等のように白髪等の毛髪を挟持することができる挟持具を切断部と台部との間に挟んだ状態で支持させる。台部は弾性部の上端に設けられているので、挟持具を脱落させることなく支持することができる。そして、挟持具により毛髪の先端を挟持させ、その後、毛髪を挟持具により挟持した状態で、毛髪処理器を毛髪の根本側に若干移動させる。その際、挟持具を毛髪処理器から取り外すようにして、毛髪処理器を挟持具から離して、毛髪処理器を毛髪の根本側に若干移動させる。その状態で、上側フレームと下側フレームとをフレーム部を縮める方向にスライドさせてフレーム部を縮める。すると、ケース部と台部とが突起部を介して接する状態となり、毛髪がケース部の底面と台部の上面と両側の突起部により囲まれた状態となる。その後、フレーム部を縮めた状態で毛髪の根本側に毛髪処理器を移動させ、毛髪の根本の位置まで移動させたら操作部を押すことにより、第１付勢部に抗して切断部本体をケース部に対して下降させ、刃部をケース部から露出させて、毛髪を切断する。
【００３２】
本発明の毛髪処理器によれば、挟持具により毛髪を挟持したら、挟持具を毛髪処理器に対して取り外した状態として毛髪処理器を毛髪の根本にまで移動させて毛髪を切ることができるので、ロングヘアにも対応することができる。つまり、挟持具を毛髪処理器に対して着脱自在として、挟持具により毛髪を挟持したら、毛髪処理器を挟持具から外して、毛髪処理器を毛髪の根本にまで移動させて毛髪を切ることができるので、ロングヘアにも対応できる。また、フレーム部が枠状に形成されているので、挟持具により一旦捕捉した毛髪を脱落させるおそれがなく、確実に捕捉して毛髪を切ることができる。また、フレーム部が伸縮自在に構成されていて、フレーム部を縮めた状態とすることにより、ケース部は突起部を介して台部に接した状態となり、毛髪をケース部の底面と台部の上面と両側の突起部により囲まれた状態となるので、毛髪が毛髪処理器から脱落することがなく、また、フレーム部を縮めた段階では、操作部を押しておらず刃部は露出していないので、毛髪の途中の位置で誤って切断してしまうことがない。また、操作部は毛髪を切断する際のみに操作すればよく、操作部について半押しと深押しとを行なう必要がないので、操作が極めて容易となる。また、フレーム部を縮めた状態で、毛髪の根本にまで移動させることができるので、頭部に接する表面積を小さくでき、毛髪処理器をより密接に頭部に密着させることができ、毛髪のより根本に近い位置で切断することが可能となる。また、フレーム部を縮めた状態で、毛髪の根本にまで移動させることができるので、毛髪を狭い空間内に位置させることができ、他の頭髪が空間内に入り込むことにより誤って切断してしまうおそれがない。また、ケース部と台部との距離を縮める動作をフレーム部を縮めることにより行なうので、操作部は、刃部をケース部から露出させるだけのストロークがあればよいので、操作部の長さを短くすることができ、毛髪処理器をより小型化することができるとともに、外観を良好にすることができ、さらには、ケース部を長く下方に移動させる必要がないので、操作部の押し操作が容易で、ケース部の水平方向のぶれが少なく、毛髪処理器自体の耐久性を高めることができる。また、台部が弾性部に支持されているので、刃部が台部の上面に対して適度な衝撃で当たることになり、刃部の刃先を保護することが可能となる。
【００３３】
また、特に、本発明の毛髪処理器によれば、毛髪の根本近くで毛髪を切断することができるので、近時問題となっている人間の頭部に生み付けられたシラミの卵の駆除にも用いることができる。
【００３４】
また、台部が弾性部に支持された構成となっているので、毛髪処理器は、毛髪切り器としての機能のみならず、毛抜き機能も有している。つまり、上記と同様に、毛髪をケース部と台部の間に挿通した状態とし、フレーム部を縮めた状態で毛髪の根本側に毛髪処理器を移動させ、その後、毛髪を台部に乗せた状態で毛髪で台部を下方に押さえるように、毛髪を斜め下方に引っ張る。すると、毛髪を引っ張る力が台部の正面側の角部に伝わり、次に、台部の背面側の角部に伝わり、最後に毛根に伝わり、台部が下方に押さえられることにより弾性部が縮められ、弾性部が縮められた状態からもとに戻ろうとする力に毛根が抗しきれなかった時に、毛髪が毛根から抜ける。このように、毛髪を引っ張る力を台部の正面側の角部と背面側の角部に分散させることにより最小限の力で毛髪を抜くことができ、毛髪を抜く際の痛みを最小限に抑えることができる。
【００３５】
なお、毛髪を挟持するための挟持具を切断部と台部との間に挟んだ状態としては、挟持具が毛髪を先端で挟持するための一対の細長状のレッグ部を有し、先端が閉状態になるように付与している力を解除させると、開状態に戻るいわゆる弾性を有した一対のレッグ部を有し、一対のレッグ部の一方を切断部側とし、他方を台部側として、挟持具を切断部と台部の間に挟んだ状態とするのが好ましい。このようにすることにより、挟持具自身の弾性によっても、挟持具を切断部と台部の間に支持させることができる。
【００３６】
また、第１０には、上記第９の構成において、毛髪処理器に使用する挟持具が、毛髪を先端で挟持するための一対の細長状のレッグ部を有し、先端が閉状態になるように付与している力を解除させると、開状態に戻る弾性を有した一対のレッグ部を有し、一対のレッグ部の一方を切断部側とし、他方を台部側として、挟持具を切断部と台部の間に挟んだ状態で支持可能であることを特徴とする。よって、挟持具自身の弾性によっても、挟持具を切断部と台部の間に支持させることができる。
【００３７】
また、第１１には、上記第９又は第１０の構成において、上記操作部が、切断部本体に接続された筒状部と、該筒状部の上端に設けられ、筒状部の外径よりも径の大きい頭部とを有し、上記第２付勢部は、頭部とフレーム部間に設けられていることを特徴とする。
【００３８】
また、第１２には、上記第９から第１１までのいずれかの構成において、上記切断部のケース部と台部とには、毛髪を挟持するための挟持具を毛髪処理器内に挿入する際のガイドとなるガイド部が設けられ、ケース部に設けられたガイド部と台部に設けられたガイド部とで略テーパ状に形成されていることを特徴とする。よって、挟持具をケース部と台部との間に円滑に挿入して支持させることができる。
【００３９】
また、第１３には、上記第９から第１２までのいずれかの構成において、フレーム部における側面部を構成する一対の第１側面部と一対の第２側面部において内側に位置する側面部に、該内側に位置する側面部に固着された板状のガイド部側面部と、挟持具を挿入する側を正面側とした場合に、ガイド部側面部の正面側の端部から内側に連設された帯板状のガイド部正面部と、ガイド部側面部の背面側の端部から内側に連設された帯板状のガイド部背面部とを有し、ガイド部側面部とガイド部正面部とガイド部背面部とで略コ字状の板状に形成されたガイド部が固着して設けられていて、ケース部と台部とは、一対のガイド部の内側に設けられ、一対のガイド部の内側に沿って上下方向に摺動することを特徴とする。よって、ケース部や台部が円滑に上下動することができ、ケース部と台部の間の空間の側方にはガイド部が位置するので、毛髪が該空間から脱落するおそれがない。
【００４０】
また、第１４には、上記第１３の構成において、上記ガイド部が、フレーム部の側面部に固着され、略コ字状の板状を呈する外側ガイド部と、外側ガイド部の内側に外側ガイド部に対して上下方向にスライド可能に摺接して設けられ、略コ字状の板状を呈する内側ガイド部とを有することにより伸縮自在に形成され、内側ガイド部の下端には台部の側方の端部に掛止するための掛止部が設けられていることを特徴とする。よって、フレーム部の伸縮に伴ってガイド部も伸縮させることができ、内側ガイド部の掛止部が台部に掛止するので、台部の上面の側方には常に内側ガイド部が存在することになり、毛髪が台部から脱落することがない。
【００４１】
なお、以下の構成としてもよい。すなわち、「毛髪を切るための毛髪処理器であって、全体に四角筒状を呈するフレーム部で、板状の上面部と、上面部の両側から下方に互いに対向して設けられた一対の板状の第１側面部とを有し、該上面部と該一対の第１側面部とで略コ字状に形成された上側フレームと、板状の底面部と、底面部の両側から上方に互いに対向して設けられた一対の板状の第２側面部とを有し、該底面部と該一対の第２側面部とで略コ字状に形成された下側フレームとを有し、第１側面部の一方が第２側面部の一方に沿ってスライドし、第１側面部の他方が第２側面部の他方に沿ってスライドすることにより上下方向に伸縮可能に形成されたフレーム部と、切断用の刃部が底面側に設けられた板状部材である切断部本体と、切断部本体を上下動可能に収納するとともに底面に刃部が露出するための開口が設けられ、底面の両側の端部に突起部が設けられた略直方体形状のケース部と、切断部本体に接続されケース部の上面の開口から上方に突出するとともに、フレーム部の上面部の開口から上方に突出して設けられた操作部と、操作部を押し操作しない状態では、刃部をケース部から露出させないように、切断部本体をケース部に対して上方に付勢する第１付勢部と、を有する切断部と、操作部をフレーム部に対して上方に付勢する第２付勢部と、フレーム部における底面部の上面に設けられた弾性部と、該弾性部の上端に設けられた台部で、その上面が平面状に形成され、上面の両側の端部に突起部が設けられた台部と、フレーム部の内側に設けられた一対のガイド部で、フレーム部における側面部を構成する一対の第１側面部と一対の第２側面部において内側に位置する側面部に、該内側に位置する側面部に固着された板状の外側ガイド部側面部と、挟持具を挿入する側を正面側とした場合に、ガイド部側面部の正面側の端部から内側に連設された帯板状の外側ガイド部正面部と、ガイド部側面部の背面側の端部から内側に連設された帯板状の外側ガイド部背面部とを有し、ガイド部側面部とガイド部正面部とガイド部背面部とで略コ字状の板状に形成された外側ガイド部と、外側ガイド部の内側に外側ガイド部に沿って外側ガイド部に対してスライドする内側ガイド部で、外側ガイド部側面部の内側に外側ガイド部側面部に平行に設けられた板状の内側ガイド部側面部と、外側ガイド部正面部の内側に外側ガイド部正面部に平行に設けられた板状の内側ガイド部正面部と、外側ガイド部背面部の内側に外側ガイド部背面部に平行に設けられた板状の内側ガイド部背面部とを有し、内側ガイド部側面部の下端には台部の側方の端部に掛止するための掛止部が設けられている内側ガイド部と、を有するガイド部と、を有し、ケース部と台部とはガイド部の内側をガイド部に沿って上下方向に摺動可能であり、フレーム部を伸ばした状態の場合には、毛髪を挟持するための挟持具で、毛髪を先端で挟持するための一対の細長状のレッグ部を有し、先端が閉状態になるように付与している力を解除させると、開状態に戻るいわゆる弾性を有した一対のレッグ部を有する挟持具を、一対のレッグ部の一方を切断部側とし、他方を台部側として、挟持具を切断部と台部の間に挟んだ状態で支持可能であるとともに、該挟持具を毛髪処理器から取外し可能であり、フレーム部を縮めた場合に、ケース部と台部とが接する状態となり、操作部を押し操作することにより、第１付勢部に抗して切断部本体がケース部に対して下降し、ケース部の開口から露出して毛髪を切断可能となっていることを特徴とする毛髪処理器。」としてもよい。
【００４２】
また、第１５には、上記第９から第１４までのいずれかの構成において、切断部本体において、刃部が一対設けられていることを特徴とする。これにより、刃部の刃先を台部の上面に安定して接触させることができる。なお、該一対の刃部は、切断部本体に接続された操作部を介して対称の位置に設けるのが好ましい。
【００４３】
また、第１６には、毛髪を切るための毛髪処理器セットであって、上記第９又は１０又は１１又は１２又は１３又は１４又は１５の構成の毛髪処理器と、毛髪処理器の切断部と台部との間に挟んだ状態で支持するとともに、毛髪を挟持するための挟持具で、毛髪を先端で挟持するための一対の細長状のレッグ部と、該一対のレッグ部の先端を閉じた状態で保持するための保持手段と、を有する挟持具と、を有することを特徴とする。この保持手段としては、例えば、一方のレッグ部の内側に設けられ、レッグ部に沿ってスライドする筒状部と、他方のレッグ部の内側に設けられ、該筒状部が掛止する被掛止部とからなり、筒状部を被掛止部に掛止した状態では、一対のレッグ部の先端が閉じた状態となる構成が挙げられる。
【００４４】
この第１６の構成の毛髪処理器セットにおいては、上記第９から第１５までのいずれかの構成の毛髪処理器と上記構成の挟持具を用いることにより、それらと同様の作用・効果を得ることができる。また、特に、挟持具に保持手段が設けられているので、挟持具を閉状態に保つことができ、毛髪をフレーム部内に通した後でも挟持具で毛髪の先端部分を挟持させておくことにより、一旦フレーム部に通した毛髪を誤ってフレーム部内から逃してしまうおそれがなく、特に、シラミの卵が付着した毛髪をまき散らしてしまうおそれがない。また、毛髪をフレーム部内に通した後でも挟持具が毛髪の先端部分を挟持させておくことができるので、挟持具を誤って落としてしまうことがない。
【００４５】
また、第１７には、上記第１６の構成において、上記毛髪処理器セットが、さらに、挟持具を毛髪処理器におけるケース部と台部の間に挿通した状態で保持するための保持具で、挟持具を毛髪処理器におけるケース部と台部の間に挿通し、毛髪処理器から突出した一対のレッグ部の先端部分の一方の側部を収納する溝部が設けられた板状の第１カバー部と、一対のレッグ部の先端部分の他方の側部を収納する溝部が設けられた板状の第２カバー部と、第１カバー部と第２カバー部とを連結し、保持具を挟持具の先端に装着した状態では、一対のレッグ部の間の位置に配置される軸部と、を有する保持具を有し、挟持具を毛髪処理器におけるケース部と台部の間に挿通した状態で挟持部の一対のレッグ部の先端に装着することにより、挟持具が毛髪処理器から脱落するのを防止することを特徴とする。これにより、挟持具を毛髪処理器におけるケース部と台部の間に挿通した状態で、保持具を挟持部の一対のレッグ部の先端に装着することにより、挟持具が毛髪処理器から脱落するのを防止することができる。
【００４６】
なお、上記第１６又は第１７の構成において、毛髪処理器に使用する挟持具が、毛髪を先端で挟持するための一対の細長状のレッグ部を有し、先端が閉状態になるように付与している力を解除させると、開状態に戻る弾性を有した一対のレッグ部を有し、一対のレッグ部の一方を切断部側とし、他方を台部側として、挟持具を切断部と台部の間に挟んだ状態で支持可能とするのが好ましい。
【００４７】
また、第１８には、毛髪を抜くための毛髪抜き器であって、上面部と、上面部の両側から下方に互いに対向して設けられた一対の側面部と、該一対の側面部から下端に設けられた底面部とを有し、全体に筒状を呈するフレーム部と、フレーム部における底面部の上面に設けられた第１弾性部と、該第１弾性部の上端に設けられた台部で、その上面の少なくとも一部が平面状に形成された台部と、フレーム部における上面部の下面に設けられた第２弾性部と、該第２弾性部の下端に設けられた押さえ部で、その下面の少なくとも一部が平面状に形成された押さえ部と、を有し、毛髪を挟持するための挟持具を押さえ部と台部との間に挟んだ状態で支持可能であるとともに、該挟持具を毛髪抜き器から取外し可能であることを特徴とする。
【００４８】
この第１８の構成の毛髪抜き器においては、毛抜き等のように白髪等の毛髪を挟持することができる挟持具を押さえ部と台部との間に挟んだ状態で支持させる。台部は弾性部の上端に設けられているので、挟持具を脱落させることなく支持することができる。そして、挟持具により毛髪の先端を挟持させ、その後、毛髪を挟持具により挟持した状態で、毛髪抜き器を毛髪の根本側に若干移動させる。その際、挟持具を毛髪抜き器から取り外すようにして、毛髪抜き器を挟持具から離して、毛髪抜き器を毛髪の根本側に移動させる。
【００４９】
その後、毛髪を台部に乗せた状態で毛髪で台部を下方に押さえるように、毛髪を斜め下方に引っ張る。すると、毛髪を引っ張る力が台部の正面側の角部に伝わり、次に、台部の背面側の角部に伝わり、最後に毛根に伝わり、台部は下方に押さえられることにより弾性部が縮められ、弾性部が縮められた状態からもとに戻ろうとする力に毛根が抗しきれなかった時に、毛髪が毛根から抜ける。このように、毛髪を引っ張る力を台部の正面側の角部と背面側の角部に分散させることにより最小限の力で毛髪を抜くことができ、毛髪を抜く際の痛みを最小限に抑えることができる。
【発明の効果】
【００５０】
本発明に基づく白髪切り器及び白髪切り器セットによれば、挟持具により白髪を挟持したら、挟持具を白髪切り器に対して取り外した状態として白髪切り器を白髪の根本にまで移動させて白髪を切ることができるので、ロングヘアにも対応することができる。また、フレーム部が枠状に形成されているので、挟持具により一旦捕捉した白髪を脱落させるおそれがなく、確実に捕捉した白髪を切ることができる。また、操作部を押していない状態では、刃部は、ケース部から露出していないので、白髪切り器を白髪の根本側に移動させる際に誤って白髪に刃が接してしまい、白髪の途中の予期しない位置で切断してしまうおそれがなく、また、刃部は、操作部を押していない状態では露出していないので、安全に切断処理を行うことができる。さらに、白髪の切断を行う際には、操作部に押し操作を行うのみで切断をすることができるので、操作が容易である。
【００５１】
また、本発明の毛髪処理器及び毛髪処理器セットによれば、挟持具により白髪等毛髪を挟持したら、挟持具を毛髪処理器に対して取り外した状態として毛髪処理器を毛髪の根本にまで移動させて毛髪を切ることができるので、ロングヘアにも対応することができる。また、フレーム部が枠状に形成されているので、挟持具により一旦捕捉した毛髪を脱落させるおそれがなく、確実に捕捉して毛髪を切ることができる。また、フレーム部が伸縮自在に構成されていて、フレーム部を縮めた状態とすることにより、ケース部は突起部を介して台部に接した状態となり、毛髪がケース部の底面と台部の上面と両側の突起部により囲まれた状態となるので、毛髪が毛髪処理器から脱落することがなく、また、フレーム部を縮めた段階では、操作部を押しておらず刃部は露出していないので、毛髪の途中の位置で誤って切断してしまうことがない。また、操作部は毛髪を切断する際のみに操作すればよく、操作部について半押しと深押しとを行なう必要がないので、操作が極めて容易となる。また、フレーム部を縮めた状態で、毛髪の根本にまで移動させることができるので、頭部に接する表面積を小さくでき、毛髪処理器をより密接に頭部に密着させることができ、毛髪のより根本に近い位置で切断することが可能となる。また、フレーム部を縮めた状態で、毛髪の根本にまで移動させることができるので、毛髪を狭い空間内に位置させることができ、他の頭髪が空間内に入り込むことにより誤って切断してしまうおそれがない。また、ケース部と台部との距離を縮める動作をフレーム部を縮めることにより行なうので、操作部は、刃部をケース部から露出させるだけのストロークがあればよいので、操作部の長さを短くすることができ、毛髪処理器をより小型化することができるとともに、外観を良好にすることができ、さらには、ケース部を長く下方に移動させる必要がないので、操作部の押し操作が容易で、ケース部の水平方向のぶれが少なく、毛髪処理器自体の耐久性を高めることができる。
【００５２】
また、特に、本発明の毛髪処理器によれば、毛髪の根本近くで毛髪を切断することができるので、近時問題となっている人間の頭部に生み付けられたシラミの卵の駆除にも用いることができる。
【００５３】
また、特に、本発明の毛髪処理器によれば、台部が弾性部に支持された構成となっているので、毛髪処理器は、毛髪切り器としての機能のみならず毛抜き機能も有しており、毛髪を最小限の力で毛髪を抜くことができ、毛髪を抜く際の痛みを最小限に抑えることができる。
【００５４】
また、本発明の毛髪抜き器によれば、毛髪を最小限の力で毛髪を抜くことができ、毛髪を抜く際の痛みを最小限に抑えることができる。
【発明を実施するための最良の形態】
【００５５】
本発明においては、ロングヘアに対応することができるとともに、一旦捕捉した白髪を脱落させるおそれがなく、白髪等毛髪の根本の位置で切断でき、予期しない位置で切断することがなく、操作が容易で、安全に切断処理を行うことができるとともに、シラミ駆除にも効果のある白髪切り器、毛髪処理器を提供するとともに、毛を抜く際の痛みを緩和できる毛髪抜き器を提供するという目的を以下のようにして実現した。
【実施例１】
【００５６】
本発明の実施例１に基づく白髪切り器（「毛髪処理器」又は「毛髪切り器」としてもよい。以下においても同じ）５は、図１〜図１１に示すように構成され、フレーム部１０と、切断部２０と、付勢部（第２付勢部）８０と、台部１００と、弾性部１３０とを有している。
【００５７】
ここで、フレーム部１０は、フレーム部本体１１と、座部１９とを有し、全体に四角筒状を呈している。このフレーム部１０は、金属製である。
【００５８】
ここで、フレーム部本体１１は、上面部１２と、側面部１４と、底面部１６と、側面部１８とを有している。上面部１２と底面部１６とはともに方形状の板状を呈し、互いに略平行に形成されている。また、側面部１４と側面部１８とは、長方形状の板状を呈し、互いに略平行に形成されている。
【００５９】
このフレーム部本体１１を構成する部材は、図４に示すように、フレーム部用部品１１ａと、フレーム部用部品１１ｂとから構成され、フレーム部用部品１１ａは、方形状の板状の上面部１２と、上面部１２の右側の辺部から下方に連設された側面部１４ａと、上面部１２の左側の辺部から下方に連設された側面部１８ａとから構成され、細長長方形状の金属製板状部材を折曲した形状となっている。側面部１４ａと側面部１８ａとは、長方形状の板状を呈している。上面部１２には、筒状部５２を挿通するための開口部１３が設けられている。この開口部１３が、フレーム部１０の上面部の開口である。また、フレーム部用部品１１ｂは、方形状の板状の底面部１６と、底面部１６の右側の辺部から上方に連設された側面部１４ｂと、底面部１６の左側の辺部から上方に連設された側面部１８ｂとから構成され、細長長方形状の金属製板状部材を折曲した形状となっている。側面部１４ｂと側面部１８ｂとは、長方形状の板状を呈している。
【００６０】
フレーム部本体１１は、フレーム部用部品１１ａとフレーム部用部品１１ｂとを対向した状態で重ね合わせて、側面部１８ｂの内側に側面部１８ａが接し、側面部１４ｂの内側に側面部１４ａが接した状態として、全体にフレーム状に形成する。つまり、側面部１４ａと側面部１４ｂとを接着させることにより、側面部１４ａと側面部１４ｂとによって側面部１４が構成され、側面部１８ａと側面部１８ｂとを接着させることにより、側面部１８ａと側面部１８ｂとによって側面部１８が構成される。
【００６１】
また、座部１９は、底面部１６の上面に固定された方形状の板状の部材であり、台部本体用部品１００ｂの上面部１０２ｂ（後述）と同様に、略Ｈ字状の切込み部が形成され、この切込み部により形成された一対の片部１９ａ、１９ｂ（図１０参照）を座部１９の上面側に折り返すことにより弾性部１３０の下端を取り付けることができるようになっている。座部１９は、底面部１６に対して接着剤により固定されている。
【００６２】
次に、切断部２０は、図５〜図８に示すように、ケース部３０と、操作部５０と、切断部本体６０と、棒状部７０と、付勢部７６（第１付勢部、上向き付勢部）とを有している。
【００６３】
ここで、ケース部３０は、全体に略直方体形状の箱状を呈し、上面部３２と、側面部３４と、背面部３６と、側面部３８と、正面部４０と、底面部４２と、ガイド部４４とを有し、上面部３２と、側面部３４と、背面部３６と、側面部３８と、正面部４０と、底面部４２とでケース部本体３１を構成している。このケース部３０は、金属製となっている。
【００６４】
この上面部３２は、ケース部本体３１の上面を構成し、方形状の板状を呈し、略中央位置に筒状部５２を挿通するための開口部３３が形成されている。この開口部３３が、ケース部３０の上面の開口である。側面部３４は、ケース部本体３１の右側面を形成し、長方形状の板状を呈している。また、背面部３６は、ケース部本体３１の背面を形成し、長方形状の板状を呈している。また、側面部３８は、ケース部本体３１の左側面を形成し、長方形状の板状を呈している。また、正面部４０は、ケース部本体３１の正面を形成し、長方形状の板状を呈している。また、底面部４２は、ケース部本体３１の底面を構成し、方形状の板状を呈し、一対の帯状の開口部４２−１、４２−２が形成されている。つまり、底面部４２の正面側に左右方向に帯状の開口部４２−１が形成されているとともに、底面部４２の背面側に左右方向に帯状に開口部４２−２が形成されている。この開口部４２−１、４２−２は、刃部６４−１、６４−２が露出するための開口である。上面部３２と底面部４２とは互いに略平行に形成され、側面部３４と側面部３８とは互いに略平行に形成され、正面部４０と背面部３６とは互いに略平行に形成されている。
【００６５】
なお、底面部４２の底面における４つの角部には、突起部（突状部としてもよい）４６が形成されている。この突起部４６は、金属製の柱状部材を接着することにより構成され、下方に突起している。この柱状部材としては、円柱状又は逆円錐形状又は逆円錐台形状等横断面が円形の柱状であるのが好ましい。この４つの突起部４６は同じ高さに形成され、ケース部３０が台部１００に接する状態とした場合には、４つの突起部４６が台部１００の上面に接し、ケース部３０の底面部４２と台部１００の上面とが略平行になるように構成されている。
【００６６】
また、ケース部本体３１の前後方向の幅は、上記フレーム部１０の前後方向の幅と略同一であり、ケース部本体３１の左右方向の幅は、上記フレーム部１０の内側の左右方向の幅よりも若干小さく形成されている。また、ケース部本体３１の上下方向の幅は、上記フレーム部１０の内側の上下方向の幅よりも小さく形成され、具体的には、フレーム部１０の内側の上下方向の幅の２０〜３０％の幅に形成されている。
【００６７】
また、ガイド部４４は、ケース部本体３１の正面側の下端から正面側に上方に傾斜して形成され、略長方形状の板状を呈している。
【００６８】
ケース部３０を構成する部材について説明すると、図８に示すように、ケース部用部品３０ａと、ケース部用部品３０ｂと、ケース部用部品３０ｃとから構成され、ケース部用部品３０ａは、方形状の板状を呈する上面部３２と、上面部３２の右側の辺部から下方に連設された側面部３４ａと、上面部３２の背面側の辺部から下方に連設された背面部３６と、上面部３２の左側の辺部から下方に連設された側面部３８ａと、上面部３２の正面側の辺部から下方に連設された正面部４０とから構成され、１枚の金属製シート状部材を折曲して形成した形状となっている。側面部３４ａと背面部３６と側面部３８ａと正面部４０とは、長方形状の板状を呈している。上面部３２には、筒状部５２を挿通するための開口部３３が設けられている。また、ケース部用部品３０ｂは、方形状の板状を呈する底面部４２ａと、底面部４２ａの右側の辺部から上方に連設された側面部３４ｂと、底面部４２ａの左側の辺部から上方に連設された側面部３８ｂと、底面部４２ａの正面側の辺部から斜め上方に連設されたガイド部片部４４ａとから構成され、１枚の金属製シート状部材を折曲して形成した形状となっている。側面部３４ｂと側面部３８ｂとガイド部片部４４ａとは、長方形状の板状を呈している。なお、底面部４２ａには、一対の帯状の開口部４２−１ａ、４２−２ａが形成され、また、棒状部７０を挿通するための開口部４３が形成されている。なお、この開口部４３は、棒状部７０の座部７２の径よりも小さく形成され、座部７２が挿通できないように形成されている。また、ケース部用部品３０ｃは、方形状の板状を呈する底面部４２ｂと、底面部４２ｂの右側の辺部から上方に連設された側面部３４ｃと、底面部４２ｂの左側の辺部から上方に連設された側面部３８ｃと、底面部４２ｂの正面側の辺部から斜め上方に連設されたガイド部片部４４ｂとから構成され、１枚の金属製シート状部材を折曲して形成した形状となっている。側面部３４ｃと側面部３８ｃとガイド部片部４４ｂとは、長方形状の板状を呈している。なお、底面部４２ｂには、一対の帯状の開口部４２−１ｂ、４２−２ｂが形成されている。また、底面部４２ｂの底面における４つの角部には、突起部４６が設けられている。
【００６９】
また、操作部５０は、白髪の切断を行う際に操作を行う部材であり、筒状部５２と、頭部５４とを有している。ここで、筒状部５２は、円筒状の筒状を呈し、少なくとも、切断部本体６０がケース部３０に対して最下端に位置した際に、筒状部５２がケース部３０の上面から突出する長さを有している。この筒状部５２は、ケース部３０の上面部３２に設けられた開口部３３に挿通した状態で設けられている。
【００７０】
また、頭部５４は、筒状部５２の頂部に固定して設けられ、板状部５４ａと板状部５４ｂとから構成されている。板状部５４ａは、円形の板状を呈し、筒状部５２に嵌装するための円形の開口部が形成されている。また、板状部５４ｂは、円形の板状を呈し、板状部５４ａの上面に接着して固定されている。板状部５４ａは、板状部５４ｂよりも幅厚に形成されている。この板状部５４ａは、例えば、木製であり、板状部５４ｂは、例えば、金属製である。
【００７１】
また、切断部本体６０は、ケース部３０内に設けられ、操作部５０の下端、すなわち、筒状部５２の下端に固定して設けられ、刃部ホルダ６２と刃部６４−１、６４−２とを有している。
【００７２】
この刃部ホルダ６２は、長方形状の板状を呈し、その左右方向の幅と前後方向の幅は、刃部ホルダ６２がケース部本体３１内で上下方向に摺動可能な大きさに形成されている。つまり、刃部ホルダ６２の左右方向の幅は、ケース部本体３１の内側の左右方向の幅よりも若干小さく形成され、刃部ホルダ６２の前後方向の幅は、ケース部本体３１の内側の前後方向の幅よりも若干小さく形成されている。刃部ホルダ６２は、例えば、木製である。また、刃部ホルダ６２には、棒状部７０が挿通するための開口部６２ａが形成されている。この開口部６２ａは、少なくとも筒状部５２の外径よりも小さく形成され、実際には、筒状部５２の内径よりも小さく形成されている。この刃部ホルダ６２は、筒状部５２の下端が接着して固定されていて、開口部６２ａを筒状部５２により被覆するように固定されている。
【００７３】
また、刃部６４−１、６４−２は、ともに細長長方形状の板状を呈し、下端に刃が形成され、刃部ホルダ６２に刃を下向きにして設けられている。この刃部６４−１は、前後方向において開口部４２−１の位置に設けられ、刃部６４−２は、前後方向において開口部４２−２の位置に設けられている。刃部６４−１と刃部６４−２とは互いに平行に設けられ、各刃部６４−１、６４−２は、ともに、左右方向（例えば、刃部ホルダ６２の正面側の面に対して平行）に設けられている。また、刃部６４−１と刃部６４−２とは、前後方向には筒状部５２の軸線位置と等距離の位置に設けられている。つまり、刃部６４−１と刃部６４−２とは、筒状部５２の軸線を介して対称位置に設けられている。
【００７４】
また、棒状部７０は、座部７２と、棒状部本体７４とから構成され、金属製の部材である。この棒状部本体７４は、筒状部５２内に挿通できる径に形成されていて、その長さは、ケース部本体３１の高さよりも長く形成されている。この棒状部７０は、ケース部３０内に立設して設けられ、その座部７２は、底面部４２ａと底面部４２ｂに挟設され、棒状部本体７４は、刃部ホルダ６２の開口部６２ａを挿通して、筒状部５２内に臨むように設けられている。
【００７５】
また、付勢部７６は、ばね（具体的には、つるまきばね）により構成され、棒状部本体７４の周囲に、刃部ホルダ６２と底面部４２ａ間に設けられ、ケース部３０内において刃部ホルダ６２を上方に付勢するように設けられている。
【００７６】
ここで、操作部５０の頭部５４に押し操作をしていない状態では、ケース部本体３１の上面部３２は、付勢部８０により付勢されることにより、フレーム部１０の上面部１２の下面に接した状態となっていて、また、刃部ホルダ６２の上面は、付勢部７６により付勢されることにより、ケース部本体３１の上面部３２の下面に接した状態となっている。
【００７７】
上記構成の切断部２０を組み立てるには、ケース部用部品３０ｂの開口部４３に棒状部７０を挿通した状態で、ケース部用部品３０ｂとケース部用部品３０ｃとを接着する。つまり、側面部３４ｂの外側の面を側面部３４ｃの内側の面に接着させ、側面部３８ｂの外側の面を側面部３８ｃの内側の面に接着させ、底面部４２ａの下面を底面部４２ｂの上面に接着させ、さらに、ガイド部片部４４ａの下面をガイド部片部４４ｂの上面に接着させる。その後、棒状部７０に付勢部７６を通し、筒状部５２が固定された状態の切断部本体６０の開口部６２ａ及び筒状部５２に棒状部７０を挿通する。その後、ケース部用部品３０ａの開口部３３に筒状部５２を通すとともに、ケース部用部品３０ａをケース部用部品３０ｂ内に固着させる。つまり、側面部３４ａの外側を側面部３４ｂの内側に接着し、側面部３８ａの外側を側面部３８ｂの内側に接着する。
【００７８】
以上の構成まで組み立てた状態で、筒状部５２をフレーム部１０の開口部１３に内側から挿通して上部に突出させ、その後、筒状部５２に付勢部８０を通して、頭部５４を筒状部５２の上端に固着する。以上のようにして、切断部２０が組み立てられるとともに、フレーム部１０に取り付けられる。
【００７９】
なお、ケース部３０においては、側面部３４ａと側面部３４ｂと側面部３４ｃによって側面部３４が構成され、側面部３８ａと側面部３８ｂと側面部３８ｃによって側面部３８が構成される。また、ガイド部片部４４ａとガイド部片部４４ｂとによってガイド部４４が構成される。また、開口部４２−１ａと開口部４２−１ｂによって開口部４２−１が構成され、開口部４２−２ａと開口部４２−２ｂによって開口部４２−２が構成される。
【００８０】
なお、切断部２０がフレーム部１０に取り付けられている状態では、付勢部８０が頭部５４を上方に付勢しているので、ケース部３０は、フレーム部１０内で最上位置にあり、ケース部本体３１の上面は、フレーム部１０の上面部１２の下面に接した状態となっている。
【００８１】
また、付勢部８０は、ばね（具体的には、つるまきばね）により構成され、筒状部５２の周囲に、頭部５４と上面部１２間に設けられ、フレーム部１０に対して操作部５０（特に、頭部５４）を上方に付勢するように設けられている。この付勢部８０は、操作部５０を上方に付勢することにより、切断部本体６０を上方に付勢するように構成されている。また、この付勢部８０は、操作部５０を上方に付勢するのみならず、筒状部５２が上下する際に、筒状部５２が傾斜せずに適切に上下方向を向いて上下するためにも設けられている。
【００８２】
また、台部１００は、図９、図１０に示すように、上面部１０２と、側面部１０４と、背面部１０６と、側面部１０８と、正面部１１０と、ガイド部１１２とを有し、底面側が開口したケース状を呈している。この台部１００は、金属製である。
【００８３】
この上面部１０２は、台部１００の上面を構成し、方形状の板状を呈している。側面部１０４は、台部１００の右側面を形成し、長方形状の板状を呈している。また、背面部１０６は、台部１００の背面を形成し、長方形状の板状を呈している。また、側面部１０８は、台部１００の左側面を形成し、長方形状の板状を呈している。また、正面部１１０は、台部１００の正面を形成し、長方形状の板状を呈している。側面部１０４と側面部１０８とは互いに略平行に形成され、正面部１１０と背面部１０６とは互いに略平行に形成されている。また、ガイド部１１２は、上面部１０２と正面部１１０の境界位置から正面側に下方に傾斜して形成され、略長方形状の板状を呈している。
【００８４】
台部１００を構成する部材について説明すると、図１０に示すように、台部用部品１００ａと、台部用部品１００ｂとから構成され、台部用部品１００ａは、方形状の板状を呈する上面部１０２ａと、上面部１０２ａの正面側の辺部から正面側に下方に傾斜して連設されたガイド部片部１１２ａとから構成され、１枚の金属製シート状部材を折曲して形成した形状となっている。ガイド部片部１１２ａは、長方形状の板状を呈している。また、台部用部品１００ｂは、方形状の板状を呈する上面部１０２ｂと、上面部１０２ｂの右側の辺部から下方に連設された側面部１０４と、上面部１０２ｂの背面側の辺部から下方に連設された背面部１０６と、上面部１０２ｂの左側の辺部から下方に連設された側面部１０８と、側面部１０４の正面側の辺部から左方に連設された正面部１１０と、上面部１０２ｂの正面側の辺部から連設されたガイド部片部１１２ｂとから構成され、１枚の金属製シート状部材を折曲して形成した形状となっている。なお、金属製シート状部材の展開状態は、図１１に示すように構成され、側面部１０４と背面部１０６とは、側面部１０４から連設された糊代部Ｎ１を介して連結され、また、側面部１０８と背面部１０６とは、側面部１０８から連設された糊代部Ｎ２を介して連結され、正面部１１０と側面部１０８とは、側面部１０８から連設された糊代部Ｎ３を介して連結されている。なお、上面部１０２ｂには、略Ｈ字状の切込み部１０３が形成され、この切込み部１０３により形成された一対の片部（つまり、片部１０３ａと片部１０３ｂ）を上面部１０２ｂの下面側に折り返すことにより弾性部１３０の上端を取り付けることができるようになっている。
【００８５】
なお、ガイド部４４とガイド部１１２とは、これらで略テーパ状に形成されている。
【００８６】
また、弾性部１３０は、フレーム部１０と台部１００との間に設けられ、つるまきばねにより構成されている。
【００８７】
上記台部１００及び弾性部１３０を組み立ててフレーム部１０に取り付けるには、座部１９に設けられた切込み部により形成された片部１９ａ、１９ｂが立ち上がった状態として弾性部１３０の内側に嵌め込み、その後、片部１９ａ、１９ｂを座部１９と平行になるように折り返して、弾性部１３０の下端を座部１９に固定させる。同様に、弾性部１３０の上端を台部用部品１００ｂに固定させる。その後、台部用部品１００ａを台部用部品１００ｂに接着する。つまり、上面部１０２ａの下面を上面部１０２ｂの上面に接着させ、ガイド部片部１１２ａの下面をガイド部片部１１２ｂの上面に接着させる。その後、座部１９をフレーム部１０の底面部１６の上面に接着させて、台部１００を弾性部１３０を介してフレーム部１０に装着する。
【００８８】
なお、上面部１０２ａと上面部１０２ｂとによって上面部１０２が構成され、ガイド部片部１１２ａとガイド部片部１１２ｂとによってガイド部１１２が構成される。
【００８９】
上記構成の白髪切り器５の使用状態について説明する。毛抜き等の挟持具２００を用意し、図１２に示すように、該挟持具２００を切断部２０と台部１００との間の位置に挿入して、挟持具２００を切断部２０と台部１００との間に支持させる。なお、挟持具２００を支持させるに当たっては、挟持具２００を構成する一対のレッグ部２０２とレッグ部２０４の一方を切断部２０の下面に当接させ、他方を台部１００の上面１０２に当接させるようにする。挟持具２００を支持させるに際して、台部１００には弾性部１３０が設けられているので、挟持具２００の幅Ｆ（すなわち、レッグ部２０２の外側とレッグ部２０４の外側の間の幅）が、挟持具２００を支持させない状態の切断部２０と台部１００間の幅Ｇよりも大きく、台部１００が最下端にある場合の切断部２０と台部１００間の幅よりも小さいものとすることにより、弾性部１３０の弾性力によって、挟持具２００を支持させることができる。なお、弾性部１３０の弾性力は、支持させた一対のレッグ部２０２、２０４が閉状態とならない程度の強さにする必要がある。つまり、弾性部１３０の弾性力によって支持させた一対のレッグ部２０２、２０４が閉状態となってしまうと、挟持具２００によって白髪を挟持することができないので、弾性部１３０の弾性力をレッグ部２０２、２０４が閉状態とならない程度の強さにする必要がある。なお、挟持具２００における一対のレッグ部２０２、２０４は、先端が閉状態となるように力を加えない場合には開状態となっていて、先端が閉状態になるように付与している力を解除させると、開状態に戻るいわゆる弾性を有しているが、この弾性により、挟持具２００が切断部２０と台部１００の間に挿入した際には、一対のレッグ部２０２、２０４が若干閉じた状態となるので、一対のレッグ部２０２、２０４が開こうとする力によっても、挟持具２００は、切断部２０と台部１００間に支持されることになる。つまり、台部１００が弾性部１３０に設けられている弾性と、挟持具２００自体が有する弾性により白髪切り器５内に支持されることになる。
【００９０】
また、挟持具２００を白髪切り器５に支持させる際には、切断部２０にガイド部４４が設けられ、台部１００にガイド部１１２が設けられているので、このガイド部４４、１１２が設けられている側から挟持具２００の先端を挿入することにより、台部１００が自動的に弾性部１３０の付勢に抗して下方に移動し、円滑に切断部２０と台部１００間に挟持具２００が支持される。
【００９１】
以上のように、挟持具２００を白髪切り器５に支持させたら、図１３に示すように、白髪Ｋを挟持具２００によって挟持する。つまり、挟持具２００を構成する一対のレッグ部２０２、２０４を閉状態として白髪Ｋを挟持する。この白髪Ｋを挟持具２００で挟持する際には、一方の手で白髪切り器５を持ち、他方の手で挟持具２００を操作して白髪Ｋを挟持する。なお、白髪を挟持する際には、白髪の先端を挟持するのが好ましい。また、上記のように白髪を挟持する操作を行うので、鏡等で白髪の箇所を視認することができれば、後頭部にある白髪であっても挟持することができる。
【００９２】
挟持具２００により白髪Ｋを挟持したら、図１４に示すように、挟持具２００によって白髪を挟持した状態で、白髪切り器５を白髪の根本側に若干移動させて、白髪切り器５を挟持具２００から離すようにする。
【００９３】
その後、操作部５０を押し操作して、ケース部３０の突起部４６が台部１００の上面部１０２に接するようにする。つまり、操作部５０を付勢部８０に抗して押し操作することにより、押し操作することにより加えた力が付勢部７６を介してケース部３０に伝わるので、ケース部３０がフレーム部１０に対して下方に移動して、突起部４６が台部１００の上面部１０２に接した状態となる。この段階では、まだ切断部本体６０は、ケース部３０に対して下降していないので、刃部６４−１、６４−２は露出していない。つまり、このように操作部５０を半押しした状態では、突起部４６が台部１００の上面部１０２に接しているが、刃部６４−１、６４−２はケース部３０から露出していない。
【００９４】
上記の状態で、白髪切り器５を白髪の根本側に移動させる。白髪切り器５を白髪の根本側に移動させるに当たり、ケース部３０の突起部４６が台部１００に接しているので、ケース部３０の底面部４２と、台部１００の上面部１０２と、４つの突起部４６とによって、白髪を挿通する空間が形成され、円滑に白髪切り器５を白髪の根本側に移動させることができる。つまり、例えば、操作部５０を半押ししていない状態で、白髪切り器５を移動させようとすると、白髪がフレーム１０の端部に引っかかってしまい、白髪を引っ張って抜いてしまうおそれがあるとともに、台部１００の上面部１０２から白髪が外れてしまい、台部１００とフレーム部１０の側面部１４、１８との隙間に入ってしまうおそれがあるが、操作部５０を半押しした状態として、白髪の挿通空間を形成することにより、そのようなおそれがない。
【００９５】
なお、白髪切り器５を白髪の根本側にある程度移動させたら、挟持具２００による挟持を解除してその白髪を手で摘んで保持するようにしてもよい。
【００９６】
白髪切り器５を白髪の根本の位置まで移動させたら、図１５に示すように、操作部５０を半押しした状態からさらに押す（つまり、深押しする）ことにより、切断部本体６０をケース部３０に対して下方に移動させる。すると、付勢部７６の付勢に抗して切断部本体６０がケース部３０内を下方に移動し、刃部６４−１、６４−２がケース部３０の底面から露出する。これにより、白髪が切断される。
【００９７】
なお、刃部６４−１、６４−２が下方に露出する長さとしては、刃部６４−１、６４−２が最も下方に露出した際の刃部６４−１、６４−２の下端が突起部４６の下端位置と同じ位置又はそれよりも下方となるようにするのが好ましい。
【００９８】
なお、突起部４６が設けられていることにより、突起部４６が台部１００の上面部１０２に接した際には、ケース部３０の底面部４２と台部１００の上面部１０２が略平行となり、これにより、刃部６４−１、６４−２の下端も台部１００の上面部１０２とが略平行になるので、確実に白髪を切断することができる。つまり、ケース部３０の底面部４２と台部１００の上面部１０２が略平行でない場合には、刃部６４−１、６４−２の下端が台部１００の上面部１０２に対して斜めになってしまい、白髪を切断できないおそれがあるが、本実施例の場合には、そのようなおそれがない。また、刃部６４−１、６４−２は、互いに平行に一対設けられているので、刃部６４−１、６４−２の刃先を台部１００の上面に安定して接触させることができる。
【００９９】
その後、操作部５０の押し操作を解除すると、切断部本体６０はケース部本体３１内を上昇して刃部６４−１、６４−２がケース部本体３１内に収納され、切断部本体６０がケース部本体３１内の上端まで至った後に、ケース部本体３１がフレーム部１０に対して上昇する。
【０１００】
以上のように、本実施例の白髪切り器５によれば、挟持具２００により白髪を挟持したら、挟持具２００を白髪切り器５に対して取り外した状態として白髪切り器５を白髪の根本まで移動させて、白髪を切ることができるので、ロングヘアにも対応することができる。特に、本実施例の白髪切り器５と、特許文献１に記載の白髪切り器とを比較すると、特許文献１の白髪切り器においては、挟持具を案内レールに沿ってカッタに対して相対移動させるものであるのに対して、本発明の白髪切り器５では、挟持具２００を白髪切り器５に対して着脱自在として、挟持具２００により毛髪を挟持したら、白髪切り器５を挟持具２００から外して、白髪切り器５を毛髪の根本にまで移動させて毛髪を切ることができるので、特許文献１の白髪切り器と異なりロングヘアにも対応できるようになったものである。
【０１０１】
また、フレーム部１０が枠状に形成されているので、挟持具２００により一旦捕捉した白髪を脱落させるおそれがなく、確実に捕捉した白髪を切ることができる。特に、切り対象の毛髪をフレーム部１０内に捕捉してしまえば確実に切ることができるので、頭部の前面のように鏡等を介して目視できる範囲内の白髪の処理のみならず、後頭部や側頭部等の鏡等を使用しても目視しにくい箇所においても一旦白髪をフレーム部１０内に捕捉してしまえば後は切り対象の白髪に沿って白髪切り器５を根本側にまで移動させて切断すればよいので、目視しにくい場所の白髪も容易に切ることができる。
【０１０２】
また、操作部５０を深押ししていない状態では、刃部６４−１、６４−２は、ケース部３０から露出していないので、白髪切り器５を白髪の根本側に移動させる際に誤って白髪に刃が接してしまい、白髪の途中の予期しない位置で切断してしまうおそれがなく、また、刃部６４−１、６４−２は、操作部５０を深押ししていない状態では露出していないので、安全に切断処理を行うことができる。さらに、白髪の切断を行う際には、操作部５０に押し操作を行うのみで切断をすることができるので、操作が容易である。
【０１０３】
また、本実施例においては、台部１００が弾性部１３０に支持された構成となっているので、白髪切り器５は、白髪切り器としての機能のみならず、後述するように毛抜き機能も有している。つまり、白髪切り器５を用いて毛抜き作業を行う際にも、上記と同様に、抜き対象の毛髪を白髪切り器５に装着した挟持具２００により挟持した後に挟持具２００を白髪切り器５から離脱させ、毛髪の根本側に白髪切り器５を移動させ、その後、毛髪を台部１００に乗せた状態で毛髪で台部１００を下方に押さえるように、毛髪を斜め下方に引っ張る。すると、毛髪を引っ張る力が台部１００の正面側の角部に伝わり、次に、台部１００の背面側の角部に伝わり、最後に毛根に伝わる。台部１００は下方に押さえられることにより弾性部１３０が縮められ、弾性部１３０が縮められた状態からもとに戻ろうとする力に毛根が抗しきれなかった時に、毛髪が毛根から抜ける。このように、毛髪を引っ張る力を台部１００の正面側の角部と背面側の角部に分散させることにより最小限の力で毛髪を抜くことができ、毛髪を抜く際の痛みを最小限に抑えることができる。つまり、毛髪を挟持具で挟持してそのまま抜く場合には、通常必要以上の力で毛髪を抜いてしまうので痛みを伴うが、本実施例の白髪切り器の場合には、痛みを最小限に抑えることができる。なお、弾性部に支持された台部による毛抜き機能については実施例３において詳説する。
【０１０４】
また、台部１００が弾性部１３０に支持されているので、操作部５０を押し操作して、刃部６４−１、６４−２により白髪を切断する際には、台部１００が下方に移動しながら刃部６４−１、６４−２により白髪を切断することになるので、刃部６４−１、６４−２が白髪に対してゆっくりした速度で当たることから、細い白髪の場合には、台部１００が下降する途中の弱い力で切断されるので、白髪に対する負担を軽くでき、また、台部１００が下降する途中の弱い力で切断できない太い白髪の場合には、台部１００が最下端にまで下降し切った位置で切断されるので、確実に切断することができる。また、台部１００が弾性部１３０に支持されているので、刃部６４−１、６４−２が台部１００の上面に対して適度な衝撃で当たることになり、刃部６４−１、６４−２の刃先を保護することが可能となる。
【０１０５】
なお、上記の説明では白髪を切る場合について説明したが、切断する対象となる髪は白髪以外の毛髪にも当然適用でき、特に、本実施例の白髪切り器５によれば、近時問題となっている人間の頭部に生み付けられたシラミの卵の駆除にも用いることができる。
【０１０６】
つまり、シラミの卵は、通常毛根から１．５ｃｍの位置に生み付けられるのが一般的であるが、刃部６４−２の位置をフレーム部１０の背面側の端部から１．５ｃｍ未満（好適には、５ｍｍ未満）（つまり、刃部６４−２の刃先とフレーム部１０の背面側の端部間の距離を１．５ｃｍ未満（好適には、５ｍｍ未満））とすることにより、シラミの卵が産み付けられた毛髪を除去することができる。また、挟持具２００により一度に複数本の毛髪を挟持できるので、シラミの卵が産み付けられている毛髪及びその周辺の毛髪を一度に除去することができる。
【０１０７】
なお、上記の説明では、挟持具２００を白髪切り器５に使用するものとして説明したが、後述する挟持具４００を白髪切り器５に使用してもよい。挟持具４００によれば、グリップ４３０を前方にスライドさせることにより挟持具４００を閉状態に保つことができるので、白髪をフレーム部１０内に通した後でも挟持具４００で白髪の先端部分を挟持させておくことにより、一旦フレーム部１０に通した白髪を誤ってフレーム部１０内から逃してしまうおそれがない。また、白髪をフレーム部１０内に通した後でも挟持具４００が白髪の先端部分を挟持させておくことができるので、挟持具４００を誤って落としてしまうことがない。
【０１０８】
なお、上記の説明においては、付勢部８０は頭部５４と上面部１２間に設けられ、操作部５０をフレーム部１０に対して上方に付勢することにより、切断部本体６０を上方に付勢するものとして説明したが、付勢部８０の代わりに、付勢部としてのばねをケース部本体３１の上面とフレーム部１０の上面部１２間に設けて、ケース部３０を下方に付勢する構成としてもよい。つまり、この場合、付勢部（下向き付勢部とする）は、筒状部５２の周囲に設けられ、ケース部本体３１の上面とフレーム部１０の上面部１２間に設けられていて、初期状態、つまり、挟持具をケース部３０と台部１００間に支持させず、操作部５０を押し操作していない状態では、ケース部３０は、下向き付勢部により、台部１００に接していて、具体的には、突起部４６が台部１００の上面部１０２に接しており、かつ、切断部本体６０は、付勢部７６によって、ケース部本体３１内の上端に位置している。なお、このように付勢部８０の代わりに下向き付勢部を設ける場合には、付勢部８０が設けられていないので、フレーム部１０の上面の開口部１３の位置に筒状部材を固着して設けることにより、筒状部５２が上下する際に筒状部５２が傾斜しないようにする必要がある。なお、下向き付勢部とともに、筒状部５２の周囲に付勢部８０を設け、下向き付勢部の付勢力を付勢部８０の付勢力よりも大きくして、結果的に、ケース部３０を下向きに付勢するとともに、付勢部８０により筒状部５２が上下する際に筒状部５２が傾斜しないようにしてもよい。
【０１０９】
このように、下向き付勢部を設ける場合の構成は、上記以外の構成は同様の構成であるので詳しい説明を省略する。
【０１１０】
下向き付勢部を設ける場合の白髪切り器の使用状態としては、挟持具２００を白髪切り器５に支持させる際には、下向き付勢部の付勢力に抗してケース部３０を持ち上げるようにして、ケース部３０と台部１００間に挟持具２００を挟持させ、挟持具２００により白髪を挟持したら、白髪切り器５を挟持具２００から離脱させることにより、下向き付勢部によりケース部３０が台部１００に接して、ケース部３０の底面部４２と、台部１００の上面部１０２と、４つの突起部４６とによって形成される空間内に白髪を挿通した状態とする。その後は、付勢部（上向き付勢部）７６に抗して、操作部５０を押し操作することにより、切断部本体６０がケース部本体３１内を下方に移動して、刃部６４−１、６４−２が露出して、白髪を切断する。その後、操作部５０の押し操作を解除すると、切断部本体６０はケース部本体３１内を上昇して刃部６４−１、６４−２がケース部本体３１内に収納される。
【０１１１】
以上のように、下向き付勢部を設けた場合の白髪切り器によれば、挟持具２００により白髪を挟持したら、挟持具２００を白髪切り器に対して取り外した状態として白髪切り器を白髪の根本にまで移動させて、白髪を切ることができるので、ロングヘアにも対応することができる。また、フレーム部１０が枠状に形成されているので、挟持具２００により一旦捕捉した白髪を脱落させるおそれがなく、確実に捕捉した白髪を切ることができる。また、操作部５０を押していない状態では、刃部６４−１、６４−２は、ケース部３０から露出していないので、白髪切り器５を白髪の根本側に移動させる際に誤って白髪に刃が接してしまい、白髪の途中の予期しない位置で切断してしまうおそれがなく、また、刃部６４−１、６４−２は、操作部５０を押していない状態では露出していないので、安全に切断処理を行うことができる。さらに、白髪の切断を行う際には、操作部５０に押し操作を行うのみで切断をすることができるので、操作が容易である。
【０１１２】
また、特に、初期状態において、ケース部３０が台部１００に接した状態となっているので、上記の構成（付勢部８０が設けられている構成）の場合には、白髪を挿通した状態で白髪切り器５を移動させる際に、操作部５０を半押しした状態で移動させなければならないが、操作部５０を操作する必要なく移動させることができ、操作が容易である。
【０１１３】
なお、上記の構成において、刃部ホルダ６２には一対の刃部６４−１、６４−２が設けられているとしたが、刃部６４−１と刃部６４−２におけるいずれか一方の下端に刃を設けて、他方には刃を設けない構成としてもよい。
【０１１４】
なお、上記白髪切り器５は、主として金属製であるとして説明したが、これには限られず、他の素材により形成してもよく、例えば、合成樹脂により形成してもよい。その場合には、例えば、刃部６４−１、６４−２と、付勢部７６と、付勢部８０と、弾性部１３０を除く構成を合成樹脂により形成し、フレーム部１０と、ケース部３０と、操作部５０と、台部１００とをそれぞれ全体に一体に形成する。
【実施例２】
【０１１５】
次に、実施例２について説明する。実施例２の毛髪処理器（「白髪切り器」、「毛髪切り器」としてもよい）２０５は、白髪等毛髪を切るとともに、毛抜きの機能を有するものであり、図１６〜図２７に示すように構成され、フレーム部２１０と、切断部２５０と、付勢部（第２付勢部）３１０と、台部３２０と、弾性部３４０とを有している。なお、図において、特に断らない場合には、毛髪処理器２０５における４つの側面のうち、挟持具ガイド部２７４、３３２が設けられている側を正面側とし、その反対側を背面側とする。
【０１１６】
ここで、フレーム部２１０は、毛髪処理器２０５の外側の枠部を構成し、図２１、図２２等に示すように、フレーム部本体２１５と、ガイド部２４０と、座部２４９とを有し、全体に略四角筒状を呈している。このフレーム部２１０は、金属製である。
【０１１７】
ここで、フレーム部本体２１５は、上面部２２２ａと、左右の側面部２１５ａ、２１５ｂと、底面部２３２ａとを有する筒状を呈し、左右の側面部２１５ａ、２１５ｂが２つの部材により構成されて伸縮するように構成されている。具体的に説明すると、フレーム部本体２１５は、上側フレーム２２０と、下側フレーム２３０とを有している。
【０１１８】
ここで、上側フレーム２２０は、略コ字状の板状を呈する上側フレーム本体２２２と、上側フレーム本体２２２の両側の外側面に形成された帯状突部２２４ａ、２２４ｂと、中間突部２２６と、内側天板部２２８とを有している。
【０１１９】
上側フレーム本体２２２は、細長長方形状の板状部材をコ字状に折曲した形状を呈し、方形状の上面部２２２ａと、上面部２２２ａの右側の端部から連設され、上面部２２２ａに対して直角に形成された方形状の側面部２２２ｂと、上面部２２２ａの左側の端部から連設され、上面部２２２ａに対して直角に形成された方形状の側面部２２２ｃとを有し、側面部２２２ｂと側面部２２２ｃとは同大同形状に形成されている。上面部２２２ａには、操作部２８０を突出させるための開口部２２２ｄが形成されている。この開口部２２２ｄの大きさは、操作部２８０を挿通可能な大きさとなっている。
【０１２０】
また、帯状突部２２４ａと帯状突部２２４ｂとはともに帯板状を呈し、上下方向に形成されている。帯状突部２２４ａは、その正面側の端部が側面部２２２ｂの正面側の端部から下側フレーム２３０における帯状突部２３４ａの幅分を開けた位置となるように設けられ、同様に、帯状突部２２４ｂは、その背面側の端部が側面部２２２ｂの背面側の端部から帯状突部２３４ｂの幅分を開けた位置となるように設けられている。また、帯状突部２２４ａの幅は、下側フレーム２３０における帯状突部２３４ａと中間突部２３６間の幅と同一又は若干小さく形成されていて、帯状突部２２４ｂ幅は、下側フレーム２３０における帯状突部２３４ｂと中間突部２３６間の幅と同一又は若干小さく形成されている。帯状突部２２４ａと帯状突部２２４ｂとは同大同形状に形成されている。また、中間突部２２６は、側面部２２２ｂの外側の下端位置における帯状突部２２４ａと帯状突部２２４ｂ間の位置に設けられている。この中間突部２２６は方形状の板状を呈し、上下方向の長さは、帯状突部２２４ａや帯状突部２２４ｂの長さよりも短く形成されている。なお、帯状突部２２４ａ、２２４ｂと中間突部２２６とは、側面部２２２ｂのみならず、側面部２２２ｃの外側の面にも設けられている。つまり、側面部２２２ｃに設けられた帯状突部２２４ａ、２２４ｂ及び中間突部２２６は、側面部２２２ｂに設けられた帯状突部２２４ａ、２２４ｂ及び中間突部２２６と対称（面対称）に設けられている。
【０１２１】
また、内側天板部２２８は、細長長方形状の板状部材をコ字状に折曲した形状を呈し、方形状の水平板部２２８ａと、水平板部２２８ａの右側の端部から連設され、水平板部２２８ａに対して直角に形成された垂直板部２２８ｂと、水平板部２２８ａの左側の端部から連設され、水平板部２２８ａに対して直角に形成された垂直板部２２８ｃとを有し、垂直板部２２８ｂ、２２８ｃの上端は、上面部２２２ａの下面に固着されている。水平板部２２８ａには、操作部２８０の筒状部２８２が挿通可能な円形の開口部２２８ａ−１が設けられ、水平板部２２８ａの左右方向の長さは、上面部２２２ａの左右方向の長さよりも短く形成され、側面部２２２ｂと垂直板部２２８ｂ間と、側面部２２２ｃと垂直板部２２８ｃ間には、外側ガイド部２４２を配置可能な隙間が形成されている。
【０１２２】
また、下側フレーム２３０は、略コ字状の板状を呈する下側フレーム本体２３２と、下側フレーム本体２３２の両側の内側面に形成された帯状突部２３４ａ、２３４ｂと、中間突部２３６とを有している。
【０１２３】
下側フレーム本体２３２は、細長長方形状の板状部材をコ字状に折曲した形状を呈し、方形状の底面部２３２ａと、底面部２３２ａの右側の端部から連設され、底面部２３２ａに対して直角に形成された方形状の側面部２３２ｂと、底面部２３２ａの左側の端部から連設され、底面部２３２ａに対して直角に形成された方形状の側面部２３２ｃとを有し、側面部２３２ｂと側面部２３２ｃとは同大同形状に形成されている。底面部２３２ａは、上面部２２２ａと平行に設けられ、側面部２３２ｂは、側面部２２２ｂに沿って側面部２２２ｂと平行に設けられ、側面部２３２ｃは、側面部２２２ｃに沿って側面部２２２ｃと平行に設けられている。
【０１２４】
また、帯状突部２３４ａと帯状突部２３４ｂとはともに帯板状を呈し、上下方向に形成されている。帯状突部２３４ａは、その正面側の端部が側面部２２２ｂの正面側の端部と一致するように設けられ、同様に、帯状突部２３４ｂは、その背面側の端部が側面部２２２ｂの背面側の端部と一致するように設けられている。また、中間突部２３６は、側面部２３２ｂの内側の上端位置における帯状突部２３４ａと帯状突部２３４ｂ間の位置に設けられている。つまり、帯状突部２３４ａに対して帯状突部２２４ａの幅分開けるとともに、帯状突部２３４ｂに対して帯状突部２２４ｂの幅分開けた位置に中間突部２３６が設けられている。この中間突部２３６は方形状の板状を呈し、上下方向の長さは、帯状突部２３４ａや帯状突部２３４ｂの長さよりも短く形成されている。なお、帯状突部２３４ａ、２３４ｂと中間突部２３６とは、側面部２３２ｂのみならず、側面部２３２ｃの内側の面にも設けられている。つまり、側面部２３２ｃに設けられた帯状突部２３４ａ、２３４ｂ及び中間突部２３６は、側面部２３２ｂに設けられた帯状突部２３４ａ、２３４ｂ及び中間突部２３６と対称（面対称）に設けられている。
【０１２５】
なお、上側フレーム２２０の上下方向の長さと下側フレーム２３０の上下方向の長さは、略同一に形成されている。
【０１２６】
また、ガイド部２４０は、外側ガイド部２４２と、内側ガイド部２４４とを有し、フレーム部２１０の左右両側に外側ガイド部２４２がそれぞれ設けられているとともに、フレーム部２１０の左右両側に内側ガイド部２４４がそれぞれ設けられている。
【０１２７】
外側ガイド部２４２は、略コ字状の板状を呈し、方形状の側面部２４２ａと、側面部２４２ａの正面側の端部から側面部２４２ａに対して直角に内側に連設された縦長帯状の正面部２４２ｂと、側面部２４２ａの背面側の端部から側面部２４２ａに対して直角に内側に連設された縦長帯状の背面部２４２ｃとを有している。また、正面部２４２ｂの内側の下側位置には、帯板状の帯状突部２４２ｄが設けられるとともに、背面部２４２ｃの内側の下側位置には、帯板状の帯状突部２４２ｅが設けられている。帯状突部２４２ｄと帯状突部２４２ｅは同大同形状に形成され、突部２４４ｄ、２４４ｅと当接することによって内側ガイド部２４４が下方に移動する際に移動を規制するために設けられている。外側ガイド部２４２は、上側フレーム２２０の側面部２２２ｂの内側と側面部２２２ｃの内側に固着されている。
【０１２８】
また、内側ガイド部２４４は、略コ字状の板状を呈し、方形状の側面部２４４ａと、側面部２４４ａの正面側の端部から側面部２４４ａに対して直角に内側に連設された縦長帯状の正面部２４４ｂと、側面部２４４ａの背面側の端部から側面部２４４ａに対して直角に内側に連設された縦長帯状の背面部２４４ｃとを有している。また、正面部２４４ｂの外側の上端位置には、方形板状の突部２４４ｄが設けられるとともに、背面部２４４ｃの外側の上端位置には、方形板状の突部２４４ｅが設けられている。突部２４４ｄと突部２４４ｅは同大同形状に形成されている。側面部２４４ａは、側面部２４２ａに沿って側面部２４２ａと平行に設けられ、正面部２４４ｂは、正面部２４２ｂに沿って正面部２４２ｂと平行に設けられ、背面部２４４ｃは、背面部２４２ｃに沿って背面部２４２ｃと平行に設けられている。
【０１２９】
また、側面部２４４ａの内側の下端の略中央部には、方形板状の突部２４４ｆが設けられている。この突部２４４ｆが設けられていることにより、内側ガイド部２４４の下端位置が台部３２０の上端位置よりも上側にいくことがなく、毛髪を台部３２０の上面とケース部２６０の下面との間の空間から脱落させることがない。つまり、内側ガイド部２４４が台部３２０に対して上昇した場合でも、突部２４４ｆが台部３２０の上端（台部用部品３２０ａ）に掛止するので、内側ガイド部２４４の下端位置が台部３２０の上端位置よりも上側にいくことがない。
【０１３０】
内側ガイド部２４４は外側ガイド部２４２の内側に設けられるので、内側ガイド部２４４における側面部２４４ａの横方向の長さは、外側ガイド部２４２における側面部２４２ａの横方向の長さよりも短く形成され、また、正面部２４２ｂの内側の端部と正面部２４４ｂの内側の端部とが面一になるように、正面部２４４ｂや背面部２４４ｃの横方向の幅も正面部２４２ｂや背面部２４２ｃの横方向の幅よりも小さく形成されている。
【０１３１】
なお、両側の外側ガイド部２４２は互いに面対称に形成され、同様に、両側の内側ガイド部２４４も互いに面対称に形成されているといえる。
【０１３２】
フレーム部２１０が組み立てられた状態では、一方の（左側の）外側ガイド部２４２の外側の面が上側フレーム２２０の側面部２２２ｃの内側の面に固着され、他方の（右側の）外側ガイド部２４２の外側の面が上側フレーム２２０の側面部２２２ｂの内側の面に固着された状態となる。また、内側ガイド部２４４は、外側ガイド部２４２の内側に配設され、側面部２４４ａが側面部２４２ａに沿って接するとともに、帯状突部２４２ｄが正面部２４４ｂに接するとともに、帯状突部２４２ｅが背面部２４４ｃに接し、また、突部２４４ｄが正面部２４２ｂに接するとともに、突部２４４ｅが背面部２４２ｃに接した状態となる。また、上側フレーム２２０の側面部の外側と下側フレーム２３０の側面部の内側とが互いに接して互いにスライドするように構成される。つまり、上側フレーム２２０の帯状突部２２４ａと帯状突部２３４ａとが隣接して上下方向にスライド可能に嵌合し、帯状突部２２４ｂと帯状突部２３４ｂとが隣接して上下方向にスライド可能に嵌合し、また、中間突部２３６が帯状突部２２４ａと帯状突部２２４ｂ間に配置されることにより、上側フレーム２２０と下側フレーム２３０とが互いに上下方向にスライド可能となり、また、中間突部２２６と中間突部２３６が設けられているので、上側フレーム２２０と下側フレーム２３０とをフレーム部２１０全体を伸ばす方向にスライドさせても、互いに脱落しないように構成されている。つまり、上側フレーム２２０と下側フレーム２３０とをフレーム部２１０全体を伸ばす方向にスライドさせ、最も伸びた状態の場合には、図１６に示す状態となり、上側フレーム２２０と下側フレーム２３０とをフレーム部２１０全体を縮める方向にスライドさせ、最も縮めた状態の場合には、図１８に示す状態となる。なお、フレーム部２１０を最も縮めた状態とした場合には、切断部２５０は台部３２０に接した状態となり、具体的には、切断部２５０の突起部２７６が台部３２０の上面に接した状態となる。
【０１３３】
また、座部２４９は、図１６〜図１８、図２７に示すように、下側フレーム２３０の底面部２３２ａの上面に固定された方形状の板状の部材であり、板状部材に略Ｈ状の切込み部が形成され、この切込み部により形成された一対の片部２４９ａ、２４９ｂを座部２４９の上面に折り返すことにより弾性部３４０の下端を取り付けることができるようになっている。座部２４９は、底面部２３２ａに対して接着剤等により固定されている。
【０１３４】
次に、切断部２５０は、図２３〜図２５に示すように、ケース部２６０と、操作部２８０と、切断部本体２９０と、棒状部３００と、付勢部３０６（第１付勢部、上向き付勢部）とを有している。
【０１３５】
ここで、ケース部２６０は、全体に略直方体形状の箱状を呈し、上面部２６２と、正面部２６４と、側面部２６６と、側面部２６８と、背面部２７０と、底面部２７２と、挟持具ガイド部２７４とを有し、上面部２６２と、正面部２６４と、側面部２６６と、側面部２６８と、背面部２７０と、底面部２７２とでケース部本体２６１を構成している。このケース部２６０は、金属製となっている。
【０１３６】
この上面部２６２は、ケース部本体２６１の上面を構成し、方形状の板状を呈し、略中央位置に筒状部２８２を挿通するための開口部２６３が形成されている。この開口部２６３が、ケース部２６０の上面の開口である。また、正面部２６４は、ケース部本体２６１の正面を形成し、長方形状の板状を呈している。また、側面部２６６は、ケース部本体２６１の右側面を形成し、長方形状の板状を呈している。また、側面部２６８は、ケース部本体２６１の左側面を形成し、長方形状の板状を呈している。また、背面部２７０は、ケース部本体２６１の背面を形成し、長方形状の板状を呈している。また、底面部２７２は、ケース部本体２６１の底面を構成し、方形状の板状を呈し、一対の帯状の開口部２７２−１、２７２−２が形成されている。つまり、底面部２７２の正面側に左右方向に帯状の開口部２７２−１が形成されているとともに、底面部２７２の背面側に左右方向に帯状に開口部２７２−２が形成されている。この開口部２７２−１、２７２−２は、刃部２９４−１、２９４−２が露出するための開口である。上面部２６２と底面部２７２とは互いに略平行に形成され、側面部２６６と側面部２６８とは互いに略平行に形成され、正面部２６４と背面部２７０とは互いに略平行に形成されている。また、底面部２７２は、台部３２０の上面部３２２と平行に設けられている。
【０１３７】
なお、底面部２７２の底面における４つの角部には、突起部（突状部としてもよい）２７６が形成されている。この突起部２７６は、金属製の柱状部材を接着することにより構成され、下方に突起している。この柱状部材としては、円柱状又は逆円錐形状又は逆円錐台形状等横断面が円形の柱状であるのが好ましい。この４つの突起部２７６は同じ高さに形成され、ケース部２６０が台部３２０に接する状態とした場合には、４つの突起部２７６が台部３２０の上面に接し、ケース部２６０の底面部２７２と台部３２０の上面とが略平行になるように構成されている。
【０１３８】
また、ケース部本体２６１の前後方向の幅は、内側ガイド部２４４における正面部２４４ｂと背面部２４４ｃ間の長さと同一又は若干小さい長さに形成され、ケース部本体２６１の左右方向の幅は、一対の内側ガイド部２４４の側面部２４４ａ間の長さと同一又は若干小さい長さに形成されている。つまり、ケース部本体２６１は、一対の内側ガイド部２４４に囲まれた空間内に配置されている。また、ケース部本体２６１の上下方向の幅は、上記フレーム部２１０の内側の上下方向の幅よりも小さく形成され、具体的には、フレーム部２１０の内側の上下方向の幅の２０〜３０％の幅に形成されている。
【０１３９】
また、挟持具ガイド部２７４は、ケース部本体２６１の正面側に取り付けられ、方形状の板状部材を鋭角に折曲した形状を呈し、折曲してなる一方の片部２７４ａがケース部本体２６１の正面側に接着され、他方の片部２７４ｂが、正面側に向けて上方に傾斜して形成され、略長方形状の板状を呈している。
【０１４０】
ケース部２６０を構成する部材について説明すると、図２５に示すように、ケース部用部品２６０ａと、ケース部用部品２６０ｂと、ケース部用部品２６０ｃとから構成され、ケース部用部品２６０ａは、方形状の板状を呈する上面部２６２と、上面部２６２の正面側の辺部から下方に連設された正面部２６４ａと、上面部２６２の右側の辺部から下方に連設された側面部２６６ａと、上面部２６２の左側の辺部から下方に連設された側面部２６８ａと、上面部２６２の背面側の辺部から下方に連設された背面部２７０ａとから構成され、１枚の金属製シート状部材を折曲して形成した形状となっている。正面部２６４ａと側面部２６６ａと側面部２６８ａと背面部２７０ａとは、長方形状の板状を呈している。上面部２６２には、筒状部２８２を挿通するための開口部２６３が設けられている。また、ケース部用部品２６０ｂは、方形状の板状を呈する底面部２７２ａと、底面部２７２ａの右側の辺部から上方に連設された側面部２６６ｂと、底面部２７２ａの左側の辺部から上方に連設された側面部２６８ｂとから構成され、１枚の金属製シート状部材を折曲して形成した形状となっている。側面部２６６ｂと側面部２６８ｂとは、長方形状の板状を呈している。なお、底面部２７２ａには、一対の帯状の開口部２７２−１ａ、２７２−２ａが形成され、また、棒状部３００を挿通するための開口部２７３が形成されている。なお、この開口部２７３は、棒状部３００の座部３０２の径よりも小さく形成され、座部３０２が挿通できないように形成されている。また、ケース部用部品２６０ｃは、方形状の板状を呈する底面部２７２ｂと、底面部２７２ｂの各辺から立設した正面部２６４ｂ、側面部２６６ｃ、側面部２６８ｃ、背面部２７０ｂから構成され、１枚の金属製シート状部材を折曲して形成した形状となっている。正面部２６４ｂと側面部２６６ｃと側面部２６８ｃと背面部２７０ｂとは、長方形状の板状を呈している。なお、底面部２７２ｂには、一対の帯状の開口部２７２−１ｂ、２７２−２ｂが形成されている。また、底面部２７２ｂの底面における４つの角部には、突起部２７６が設けられている。
【０１４１】
なお、ケース部用部品２６０ｂは、ケース部用部品２６０ｃの内側に収納して固着され、ケース部用部品２６０ｃは、ケース部用部品２６０ａに覆われた状態で固着されている。
【０１４２】
なお、ケース部２６０においては、正面部２６４ａと正面部２６４ｂとによって正面部２６４が構成され、側面部２６６ａと側面部２６６ｂと側面部２６６ｃとによって側面部２６６が構成され、側面部２６８ａと側面部２６８ｂと側面部２６８ｃとによって側面部２６８が構成され、背面部２７０ａと背面部２７０ｂとによって背面部２７０が構成される。また、開口部２７２−１ａと開口部２７２−１ｂとによって開口部２７２−１が構成され、開口部２７２−２ａと開口部２７２−２ｂとによって開口部２７２−２が構成される。
【０１４３】
また、操作部２８０は、毛髪の切断を行う際に操作を行う部材であり、筒状部２８２と、頭部２８４とを有している。ここで、筒状部２８２は、円筒状の筒状を呈し、少なくとも、切断部本体２９０がケース部２６０に対して最下端に位置した際に、筒状部２８２がケース部２６０の上面から突出する長さを有している。この筒状部２８２は、ケース部２６０の上面部２６２に設けられた開口部２６３に挿通した状態で設けられている。
【０１４４】
また、頭部２８４は、筒状部２８２の頂部に固定して設けられ、板状部２８４ａとドーム状部２８４ｂとから構成されている。板状部２８４ａは、円形の板状を呈し、筒状部２８２に嵌装するための円形の開口部が形成されている。また、ドーム状部２８４ｂは、ドーム状を呈し、板状部２８４ａの上面に接着して固定されている。この板状部２８４ａとドーム状部２８４ｂは、例えば、木製である。
【０１４５】
また、切断部本体２９０は、ケース部２６０内に設けられ、操作部２８０の下端、すなわち、筒状部２８２の下端に固定して設けられ、刃部ホルダ２９２と刃部２９４−１、２９４−２とを有している。
【０１４６】
この刃部ホルダ２９２は、長方形状の板状を呈し、その左右方向の幅と前後方向の幅は、刃部ホルダ２９２がケース部本体２６１内で上下方向に摺動可能な大きさに形成されている。つまり、刃部ホルダ２９２の左右方向の幅は、ケース部本体２６１の内側の左右方向の幅よりも若干小さく形成され、刃部ホルダ２９２の前後方向の幅は、ケース部本体２６１の内側の前後方向の幅よりも若干小さく形成されている。刃部ホルダ２９２は、例えば、木製である。また、刃部ホルダ２９２には、棒状部３００が挿通するための開口部２９２ａが形成されている。この開口部２９２ａは、少なくとも筒状部２８２の外径よりも小さく形成され、実際には、筒状部２８２の内径よりも小さく形成されている。この刃部ホルダ２９２は、筒状部２８２の下端が接着して固定されていて、開口部２９２ａを筒状部２８２により被覆するように固定されている。
【０１４７】
また、刃部２９４−１、２９４−２は、ともに細長長方形状の板状を呈し、下端に刃が形成され、刃部ホルダ２９２に刃を下向きにして設けられている。この刃部２９４−１は、前後方向において開口部２７２−１の位置に設けられ、刃部２９４−２は、前後方向において開口部２７２−２の位置に設けられている。刃部２９４−１と刃部２９４−２とは互いに平行に設けられ、各刃部２９４−１、２９４−２は、ともに、左右方向（例えば、刃部ホルダ２９２の正面側の面に対して平行）に設けられている。また、刃部２９４−１と刃部２９４−２とは、前後方向には筒状部２８２の軸線位置と等距離の位置に設けられている。つまり、刃部２９４−１と刃部２９４−２とは、筒状部２８２の軸線を介して対称位置に設けられている。
【０１４８】
また、棒状部３００は、座部３０２と、棒状部本体３０４とから構成され、金属製の部材である。この棒状部本体３０４は、筒状部２８２内に挿通できる径に形成されていて、その長さは、ケース部本体２６１の高さよりも長く形成されている。この棒状部３００は、ケース部２６０内に立設して設けられ、その座部３０２は、底面部２７２ａと底面部２７２ｂに挟設され、棒状部本体３０４は、刃部ホルダ２９２の開口部２９２ａを挿通して、筒状部２８２内に臨むように設けられている。
【０１４９】
また、付勢部３０６は、ばね（具体的には、つるまきばね）により構成され、棒状部本体３０４の周囲に、刃部ホルダ２９２と底面部２７２ａ間に設けられ、ケース部２６０内において刃部ホルダ２９２を上方に付勢するように設けられている。
【０１５０】
ここで、操作部２８０の頭部２８４に押し操作をしていない状態では、ケース部本体２６１の上面部２６２は、付勢部３１０により付勢されることにより、フレーム部２１０の水平板部２２８ａの下面に接した状態となっていて、また、刃部ホルダ２９２の上面は、付勢部３０６により付勢されることにより、ケース部本体２６１の上面部２６２の下面に接した状態となっている。
【０１５１】
また、付勢部３１０は、ばね（具体的には、つるまきばね）により構成され、筒状部２８２の周囲に、頭部２８４と内側天板部２２８の水平板部２２８ａ間に設けられ、フレーム部２１０に対して操作部２８０（特に、頭部２８４）を上方に付勢するように設けられている。この付勢部３１０は、操作部２８０を上方に付勢することにより、切断部本体２９０を上方に付勢するように構成されている。また、この付勢部３１０は、操作部２８０を上方に付勢するのみならず、筒状部２８２が上下する際に、筒状部２８２が傾斜せずに適切に上下方向を向いて上下するためにも設けられている。
【０１５２】
なお、切断部２５０がフレーム部２１０に取り付けられている状態では、付勢部３１０が頭部２８４を上方に付勢しているので、ケース部２６０は、フレーム部２１０内で最上位置にあり、ケース部本体２６１の上面は、フレーム部２１０の水平板部２２８ａの下面に接した状態となっている。
【０１５３】
また、台部３２０は、図２６、図２７に示すように、上面部３２２と、正面部３２４と、側面部３２６と、側面部３２８と、背面部３３０と、挟持具ガイド部３３２とを有し、底面側が開口したケース状を呈している。この台部３２０は、金属製である。
【０１５４】
この上面部３２２は、台部３２０の上面を構成し、方形状の板状を呈している。また、正面部３２４は、台部３２０の正面を形成し、長方形状の板状を呈している。側面部３２６は、台部３２０の右側面を形成し、長方形状の板状を呈している。また、側面部３２８は、台部３２０の左側面を形成し、長方形状の板状を呈している。また、背面部３３０は、台部３２０の背面を形成し、長方形状の板状を呈している。側面部３２６と側面部３２８とは互いに略平行に形成され、正面部３２４と背面部３３０とは互いに略平行に形成されている。正面部３２４と側面部３２６、３２８と背面部３３０は、上面部３２２に対して直角となっている。また、挟持具ガイド部３３２は、正面部３２４に取り付けられ、方形状の板状部材を鋭角に折曲した形状を呈し、折曲してなる一方の片部３３２ａが正面部３２４に接着され、他方の片部３３２ｂが、正面側に向けて下方に傾斜して形成され、略長方形状の板状を呈している。
【０１５５】
台部３２０を構成する部材について説明すると、図２７に示すように、台部用部品３２０ａと、台部用部品３２０ｂと、台部用部品３２０ｃと、挟持具ガイド部３３２とから構成され、台部用部品３２０ａは、方形状の板状を呈する上面部３２２ａと、上面部３２２ａの上面の左右の両端に設けられた突起部（突状部としてもよい）３２２ａ−１、３２２ａ−２とを有している。突起部３２２ａ−１、３２２ａ−２は円柱状を呈し、その軸線方向が台部用部品３２０ａの左右の辺部の方向と平行に設けられている。上面部３２２ａは、１枚の金属製板状部材により形成され、突起部３２２ａ−１、３２２ａ−２は、円柱形状を呈し、奥行き方向には略中間位置に設けられている。ケース部２６０に設けられた突起部２７６は奥行き方向にはケース部２６０の底面の正面側の端部と背面側の端部に設けられているので、ケース部２６０と台部３２０とを接触させた際には、突起部２７６が突起部３２２ａ−１と突起部３２２ａ−２の間の位置にあり、突起部２７６と突起部３２２ａ−１、３２２ａ−２とが接触しないようになっている。突起部３２２ａ−１、３２２ａ−２の高さは、切断部２５０の突起部２７６の高さと同じにするのが好ましい。この台部用部品３２０ａの左右方向の幅は、台部用部品３２０ｃの左右方向の幅よりも長く形成され、台部用部品３２０ａの左右の端部は、台部用部品３２０ｂの側面から若干左右に突出して形成されている。台部用部品３２０ａの左右が突出することにより、内側ガイド部２４４の突部２４４ｆが掛止するようになっている。
【０１５６】
また、台部用部品３２０ｂは、方形状の板状を呈する上面部３２２ｂと、上面部３２２ｂの正面側の辺部から下方に向けて連設された正面部３２４ａと、上面部３２２ｂの右側の辺部から下方に連設された側面部３２６ａと、上面部３２２ｂの左側の辺部から下方に連設された側面部３２８ａと、上面部３２２ｂの背面側の辺部から下方に連設された背面部３３０ａと、を有している。正面部３２４ａと側面部３２６ａ、３２８ａと背面部３３０ａは、長方形状の板状を呈し、上面部３２２ｂに対して直角となっている。なお、上面部３２２ｂには、略Ｈ字状の切込み部が形成され、この切込み部により形成された一対の片部（つまり、片部３２２ｂ−１と片部３２２ｂ−２）を上面部３２２ｂの下面側に折り返すことにより弾性部３４０の上端を取り付けることができるようになっている。
【０１５７】
台部用部品３２０ｃは、四角枠状を呈し、正面部３２４ｂと、側面部３２６ｂと、側面部３２８ｂと、背面部３３０ｂとを有し、正面部３２４ｂと背面部３３０ｂとは互いに平行であり、側面部３２６ｂと側面部３２８ｂとは互いに平行になっていて、隣接する部材同士は直角となっている。台部用部品３２０ａは、台部用部品３２０ｂの上面部３２２ｂに接着され、台部用部品３２０ｃは、台部用部品３２０ｂの内側に接着されている。つまり、正面部３２４ｂの外側の面は、正面部３２４ａの内側の面に接着され、側面部３２６ｂの外側の面は、側面部３２６ａの内側の面に接着され、側面部３２８ｂの外側の面は、側面部３２８ａの内側の面に接着され、背面部３３０ｂの外側の面は、背面部３３０ａの内側の面に接着されている。
【０１５８】
なお、台部用部品３２０ａと台部用部品３２０ｂの上面部３２２ｂとによって、上面部３２２が構成され、正面部３２４ａと正面部３２４ｂとによって正面部３２４が構成され、側面部３２６ａと側面部３２６ｂとによって側面部３２６が構成され、側面部３２８ａと側面部３２８ｂとによって側面部３２８が構成され、背面部３３０ａと背面部３３０ｂとによって背面部３３０が構成される。
【０１５９】
なお、突起部３２２ａ−１、３２２ａ−２の内側の端部位置と、切断部２５０の突起部２７６の内側の端部の位置は、外側ガイド部２４２の内側の端部（つまり、正面部２４２ｂや背面部２４２ｃの内側の端部）や内側ガイド部２４４の内側の端部（つまり、正面部２４４ｂや背面部２４４ｃの内側の端部）よりも内側に位置するようにするのが好ましい。このようにすることにより、切断部２５０と台部３２０と両側のガイド部２４０により囲まれた狭い空間内に挿通された毛髪が、ガイド部２４０の内側の端部に接触するおそれを低くすることができる。
【０１６０】
なお、挟持具ガイド部２７４の片部２７４ｂと挟持具ガイド部３３２の片部３３２ｂとは、これらで略テーパ状に形成されている。
【０１６１】
また、弾性部３４０は、フレーム部２１０（すなわち、座部２４９）と台部３２０との間に設けられ、つるまきばねにより構成されている。
【０１６２】
毛髪処理器２０５を組み立てるには、上側フレーム２２０にガイド部２４０を取り付けるとともに、切断部２５０を取り付ける。つまり、外側ガイド部２４２の外側の面を上側フレーム２２０の側面部２２２ｂの内側の面と側面部２２２ｃの内側の面とに接着させる。その際、外側ガイド部２４２の上端は、上面部２２２ａの下面に接するか又は上面部２２２ａの下面近くになるように配置する。外側ガイド部２４２を上側フレーム２２０に固着させたら、内側ガイド部２４４を外側ガイド部２４２の内側に配設する。つまり、内側ガイド部２４４に設けられた突部２４４ｄが外側ガイド部２４２に設けられた帯状突部２４２ｄの上側に掛止し、内側ガイド部２４４に設けられた突部２４４ｅが外側ガイド部２４２に設けられた帯状突部２４２ｅの上側に掛止するように取り付ける。
【０１６３】
切断部２５０を上側フレーム２２０に取り付けるに当たっては、まず、切断部２５０を組み立てる。つまり、ケース部用部品２６０ｂの開口部２７３に棒状部３００を挿通した状態で、ケース部用部品２６０ｂとケース部用部品２６０ｃとを接着する。つまり、側面部２６６ｂの外側の面を側面部２６６ｃの内側の面に接着させ、側面部２６８ｂの外側の面を側面部２６８ｃの内側の面に接着させ、底面部２７２ａの下面を底面部２７２ｂの上面に接着させる。その後、棒状部３００に付勢部３０６を通し、筒状部２８２が固定された状態の切断部本体２９０の開口部２９２ａ及び筒状部２８２に棒状部３００を挿通する。その後、ケース部用部品２６０ａの開口部２６３に筒状部２８２を通すとともに、ケース部用部品２６０ｃをケース部用部品２６０ａ内に固着させる。つまり、正面部２６４ｂの外側を正面部２６４ａの内側に接着し、側面部２６６ｃの外側を側面部２６６ａの内側に接着し、側面部２６８ｃの外側を側面部２６８ａの内側に接着し、背面部２７０ｂの外側を背面部２７０ａの内側に接着する。
【０１６４】
以上の構成まで組み立てた状態で、筒状部２８２を上側フレーム２２０の開口部２２８ａ−１と開口部２２２ｄに内側から挿通して上部に突出させ、その後、筒状部２８２に付勢部３１０を通して、頭部２８４を筒状部２８２の上端に固着する。以上のようにして、切断部２５０が組み立てられるとともに、上側フレーム２２０に取り付けられる。
【０１６５】
一方、下側フレーム２３０に対しては、弾性部３４０を取り付けるとともに、弾性部３４０に台部３２０を取り付ける。すなわち、座部２４９に設けられた切込み部により形成された片部２４９ａ、２４９ｂが立ち上がった状態として弾性部３４０の内側に嵌め込み、その後、片部２４９ａ、２４９ｂを座部２４９と平行になるように折り返して、弾性部３４０の下端を座部２４９に固定させる。同様に、弾性部３４０の上端を台部用部品３２０ｂに固定させることにより、台部３２０を弾性部３４０の上端に固着させる。その後、座部２４９を下側フレーム２３０の底面部２３２ａの上面に接着させて、台部３２０を弾性部３４０を介して下側フレーム２３０に装着する。
【０１６６】
その後、上側フレーム２２０と下側フレーム２３０とを組み合わせることによって、毛髪処理器２０５が組み立てられる。つまり、上側フレーム２２０の側面部２２２ｂ、２２２ｃの外側に設けられた帯状突部２２４ａ、２２４ｂ及び中間突部２２６と、下側フレーム２３０の側面部２３２ｂ、２３２ｃの内側に設けられた帯状突部２３４ａ、２３４ｂ及び中間突部２３６とが、上側フレーム２２０と下側フレーム２３０とが互いにスライド可能に噛み合うように組み立てることにより、毛髪処理器２０５が組み立てられる。
【０１６７】
次に、上記構成の白髪切り器５や毛髪処理器２０５に使用する挟持具について説明する。
【０１６８】
挟持具４００は、図２８、図２９に示すように構成され、挟持具本体４１０と、グリップ４２０と、被掛止部４２６と、グリップ４３０と、ガイド部４４０と、止め部４５０とを有している。
【０１６９】
ここで、挟持具本体４１０は、一対の細長状のアーチ状のレッグ部４１２及びレッグ部４１４を有し、レッグ部４１２とレッグ部４１４の一方の端部は固着され、他方の端部が開放されていて、該他方の端部の先端には、平面状の挟持面を有し、他方の端部の先端部４１６を閉状態とすることにより一対の挟持面が合わさって白髪等を挟持できるようになっている。この挟持具本体４１０は、例えば、従来から存在する毛抜きにより構成される。なお、該挟持面に黒く着色することにより、白髪を視認しやすくなる。
【０１７０】
また、グリップ４２０は、レッグ部４１２の中間位置に固定して設けられていて、グリップ下台４２２と、グリップ本体４２４とを有している。このグリップ下台４２２は、コ字状の板状部材であり、平板状の長方形状の板状部材を略コ字状に折曲して形成したものであり、方形状の中央板部４２２ａと、中央板部４２２ａの端部から中央板部４２２ａに対して直角に設けられた端部板部４２２ｂ、４２２ｃとを有し、中央板部４２２ａがレッグ部４１２の外側の面に接着されている。また、グリップ本体４２４は蒲鉾形状を呈し、中央板部４２２ａの外側の面に接着されている。
【０１７１】
また、被掛止部４２６は、略Ｌ字状の板状を呈し、レッグ部４１２の内側からレッグ部４１２に対して略直角に立設した板状の基端部４２６ａと、基端部４２６ａの先端から基端部４２６ａに対して直角に形成された板状の先端部４２６ｂとを有している。なお、基端部４２６ａの長さは、挟持具本体４１０の一対の先端部４１６が当接した際に先端部４２６ｂがレッグ部４１４に接する長さに形成されている。
【０１７２】
また、グリップ４３０は、レッグ部４１４に対してスライド可能に形成され、筒状部４３２と、グリップ本体４３４とを有している。この筒状部４３２は、板状部材を略コ字状に折曲したコ字状部材４３２ａと板状部材を略コ字状に折曲したコ字状部材４３２ｂとを互いに対向させることにより四角筒状に形成されたものであり、コ字状部材４３２ａ内にコ字状部材４３２ｂを収納して固着することにより筒状に形成されている。また、グリップ本体４３４は蒲鉾形状を呈し、筒状部４３２の外側の面に接着されている。このグリップ４３０は、挟持具４００を閉状態で維持してロックする場合には、レッグ部４１４の先端側に位置させ、挟持具４００を閉状態から開状態にするには、レッグ部４１４の根本側にスライドさせる。このグリップ４３０の筒状部４３２と被掛止部４２６により、「一対のレッグ部の先端を閉じた状態で保持するための保持手段」が構成される。
【０１７３】
また、ガイド部４４０は、略Ｌ字状の板状を呈し、レッグ部４１４の内側の面に沿ってレッグ部４１４に固着された板状の基端部４４０ａと、基端部４４０ａの挟持具根本側の端部から立設し、基端部４４０ａに対して直角の立設部４４０ｂとを有している。この立設部４４０ｂにより、グリップ４３０の挟持具根本側への移動が規制される。また、挟持具４００を閉状態とした場合に、被掛止部４２６の先端、すなわち、被掛止部４２６における先端部４２６ｂの端部とガイド部４４０の基端部４４０ａの端部とが当接し、かつ、先端部４２６ｂのレッグ部４１２側の面と、基端部４４０ａのレッグ部４１２側の面とが面一となるように構成されている。
【０１７４】
なお、レッグ部４１４におけるガイド部４４０に近接する側部には、スライドするグリップ４３０がガイド部４４０の位置で保持されるように突状の滑止め４１４ａが設けられている。この滑止め４１４ａが設けられていることにより、ガイド部４４０の位置のグリップ４３０が容易にスライドすることがない。なお、このような滑止めは、グリップ４３０が被掛止部４２６に掛止する位置のレッグ部４１４の側部に設けるようにするのが好ましい。また、滑止め４１４ａと同様の滑止めを、レッグ部４１４における滑止め４１４ａが設けられている側部とは反対側の側部にも設けるようにしてもよい。
【０１７５】
また、止め部４５０は、略Ｕ字状の板状を呈し、レッグ部４１４の内側の面に沿ってレッグ部４１４に固着された板状の基端部４５０ａと、基端部４５０ａの挟持具根本側の端部から立設し、基端部４５０ａに対して直角の立設部４５０ｂと、基端部４５０ａの挟持具先端側の端部から立設し、基端部４５０ａに対して直角の立設部４５０ｃとを有し、この立設部４５０ｂにより、グリップ４３０の挟持具先端側への移動が規制される。挟持具４００を閉状態にした場合には、被掛止部４２６は、ガイド部４４０と止め部４５０の間の位置となる。
【０１７６】
挟持具４００を閉状態で維持させるには、グリップ４３０が根本側にある状態で一対のレッグ部４１２、４１４を閉じた状態とし、その後、グリップ４３０を先端側にスライドさせて、グリップ４３０の筒状部４３２を被掛止部４２６の先端部４２６ｂに掛止させる。なお、グリップ４３０をスライドさせるに際して、ガイド部４４０の基端部４４０ａのレッグ部４１２側の面と被掛止部４２６の先端部４２６ｂのレッグ部４１２側の面とが面一になるように構成されているので、円滑にグリップ４３０をスライドさせることができる。
【０１７７】
次に、挟持具４００を毛髪処理器２０５に挿通した状態で保持させるための保持具について、図３４、図３５を用いて説明する。該保持具５００は、一対のカバー部５１０、５２０と、軸部５３０とを有していて、軸部５３０はカバー部５１０に固定され、カバー部５２０は、軸部５３０に対して着脱自在となっている。
【０１７８】
ここで、カバー部５１０は、略楕円弧と直線とに囲まれた形状の板状を呈し、内側に挟持具４００の先端の側部を収納するための楕円弧状の溝部５１２が形成され、溝部５１２の内側には、溝部５１２に囲まれた中央突部５１４が形成され、溝部５１２の周囲には、周囲突部５１６が形成されている。この中央突部５１４は、溝部５１２の内底面よりも内側に突出し、周囲突部５１６も溝部５１２の内底面よりも内側に突出している。また、中央突部５１４には、軸部５３０を嵌着するための穴部が設けられている。
【０１７９】
また、カバー部５２０は、カバー部５１０と対称（面対称）に形成されていて、略楕円弧と直線とに囲まれた形状の板状を呈し、内側に挟持具４００の先端の側部を収納するための楕円弧状の溝部５２２が形成され、溝部５２２の内側には、溝部５２２に囲まれた中央突部５２４が形成され、溝部５２２の周囲には、周囲突部５２６が形成されている。この中央突部５２４は、溝部５２２の内底面よりも内側に突出し、周囲突部５２６も溝部５２２の内底面よりも内側に突出している。また、中央突部５２４には、軸部５３０を着脱自在に嵌着するための穴部５２８が設けられている。また、軸部５３０は、円柱状を呈し、カバー部５２０の穴部に嵌着して固着されている。なお、軸部５３０がカバー部５２０の穴部５２８に固着した構成であってもよい。
【０１８０】
上記構成の毛髪処理器２０５の使用状態について説明する。図３０に示すように、上記挟持具４００を切断部２５０と台部３２０との間の位置に挿入して、挟持具４００を切断部２５０と台部３２０との間に支持させる。なお、挟持具４００を支持させるに当たっては、上側フレーム２２０と下側フレーム２３０とをスライドさせてフレーム部２１０を伸ばした状態とし、挟持具４００を構成する一対のレッグ部４１２、４１４の一方を切断部２５０の下面に当接させ、他方を台部３２０の上面部３２２に当接させるようにする。挟持具４００を支持させるに際して、台部３２０には弾性部３４０が設けられているので、挟持具４００の幅Ｆ（すなわち、レッグ部４１２の外側とレッグ部４１４の外側の間の幅、図２８参照）が、挟持具４００を支持させない状態の切断部２５０と台部３２０間の幅よりも大きく、台部３２０が最下端にある場合の切断部２５０と台部３２０間の幅よりも小さいものとすることにより、弾性部３４０の弾性力によって、挟持具４００を支持させることができる。なお、弾性部３４０の弾性力は、支持させた一対のレッグ部４１２、４１４が閉状態とならない程度の強さにする必要がある。つまり、弾性部３４０の弾性力によって支持させた一対のレッグ部４１２、４１４が閉状態となってしまうと、挟持具４００によって白髪を挟持することができないので、弾性部３４０の弾性力をレッグ部４１２、４１４が閉状態とならない程度の強さにする必要がある。なお、挟持具４００における一対のレッグ部４１２、４１４は、先端が閉状態となるように力を加えない場合には開状態となっていて、先端が閉状態になるように付与している力を解除させると、開状態に戻るいわゆる弾性を有しているが、この弾性により、挟持具４００が切断部２５０と台部３２０の間に挿入した際には、一対のレッグ部４１２、４１４が若干閉じた状態となるので、一対のレッグ部４１２、４１４が開こうとする力によっても、挟持具４００は、切断部２５０と台部３２０間に支持されることになる。つまり、台部３２０が弾性部３４０に設けられている弾性と、挟持具４００自体が有する弾性により毛髪処理器２０５内に支持されることになる。
【０１８１】
また、挟持具４００を毛髪処理器２０５に支持させる際には、切断部２５０に挟持具ガイド部２７４が設けられ、台部３２０に挟持具ガイド部３３２が設けられているので、この挟持具ガイド部２７４、３３２が設けられている側から挟持具４００の先端を挿入することにより、台部３２０が自動的に弾性部３４０の付勢に抗して下方に移動し、円滑に切断部２５０と台部３２０間に挟持具４００が支持される。
【０１８２】
以上のように、挟持具４００を毛髪処理器２０５に支持させたら、図３１に示すように、白髪Ｋを挟持具４００によって挟持する。つまり、挟持具４００を構成する一対のレッグ部４１２、４１４を閉状態として白髪Ｋを挟持する。この白髪Ｋを挟持具４００で挟持する際には、一方の手で毛髪処理器２０５を持ち、他方の手で挟持具４００を操作して白髪Ｋを挟持する。なお、白髪を挟持する際には、白髪の先端を挟持するのが好ましい。また、上記のように白髪を挟持する操作を行うので、鏡等で白髪の箇所を視認することができれば、後頭部にある白髪であっても挟持することができる。
【０１８３】
挟持具４００により白髪Ｋを挟持したら、図３２に示すように、挟持具４００によって白髪を挟持した状態で、挟持具４００を毛髪処理器２０５から離脱させる。つまり、毛髪処理器２０５を白髪の根本側に若干移動させて、毛髪処理器２０５を挟持具４００から離すようにする。挟持具４００を毛髪処理器２０５から離脱させる際に、グリップ４３０を先端側にスライドさせてグリップ４３０を被掛止部４２６に掛止させることにより、挟持具４００の一対のレッグ部４１２、４１４が閉状態となるように力を加え続ける必要がなく、白髪を挟んだ状態を保持できる。
【０１８４】
その後、図３３に示すように、上側フレーム２２０と下側フレーム２３０とを互いにスライドさせてフレーム部２１０の長さを縮める操作を行ない、フレーム部２１０が最も縮んだ状態とする。その際、例えば、下側フレーム２３０の底面部を親指で押さえ、上側フレーム２２０の上面部を人差し指と中指で押さえることにより容易にフレーム部２１０を縮める操作をすることができる。なお、フレーム部２１０を縮める操作を行なう際には、頭部２８４を押さないようにするのが好ましいが、仮に、上側フレーム２２０の上面部を押さえずに頭部２８４を押さえた場合でも、押さえた力が付勢部３１０を介して上側フレーム２２０に伝わるので、フレーム部２１０が縮んだ状態となり、少なくとも刃部２９４−１、２９４−２が露出することなくフレーム部２１０を縮んだ状態とすることができる。また、フレーム部２１０を縮める操作を行なうことにより、ガイド部２４０についても、外側ガイド部２４２と内側ガイド部２４４とが互いにスライドし、ガイド部２４０全体として高さ方向の長さが縮むことになる。
【０１８５】
フレーム部２１０を最も縮めた状態とすることにより、切断部２５０は台部３２０に接した状態となる。つまり、突起部２７６が、台部３２０の上面に接触し、突起部３２２ａ−１、３２２ａ−２がケース部２６０の底面に接触することにより、ケース部２６０の底面と台部３２０の上面とが突起部２７６、３２２ａ−１、３２２ａ−２を介して対向することになる。つまり、ケース部２６０の底面と台部３２０の上面とは、突起部２７６、３２２ａ−１、３２２ａ−２の高さ分の距離を介して対向する。このようにフレーム部２１０を縮めることにより、白髪を切断部２５０と台部３２０と両側のガイド部２４０により囲まれた狭い空間内に位置させることができるので、白髪が毛髪処理器２０５から脱落するおそれがない。特に、白髪は、切断部２５０と台部３２０と両側のガイド部２４０により囲まれているとともに、白髪の両側には、切断部２５０の突起部２７６と台部３２０の突起部３２２ａ−１、３２２ａ−２が存在するので、これらによっても白髪の脱落が防止される。
【０１８６】
次に、フレーム部２１０を縮めた状態で、毛髪処理器２０５を白髪の根本側に移動させる。その際、白髪は、切断部２５０と台部３２０と両側のガイド部２４０により囲まれた狭い空間内に位置するとともに、白髪の両側には、切断部２５０の突起部２７６と台部３２０の突起部３２２ａ−１、３２２ａ−２が存在するので、円滑に毛髪処理器２０５を白髪の根本側に移動させることができる。
【０１８７】
毛髪処理器２０５を白髪の根本の位置まで移動させたら、操作部２８０を押すことにより、切断部本体２９０をケース部２６０に対して下方に移動させる。すると、付勢部３０６の付勢に抗して切断部本体２９０がケース部２６０内を下方に移動し、刃部２９４−１、２９４−２がケース部２６０の底面から露出する。これにより、白髪が切断される。また、操作部２８０を押すことにより、ケース部２６０自体もフレーム部２１０に対して下方に移動し、ケース部２６０と台部３２０とが下方に若干移動する。
【０１８８】
なお、刃部２９４−１、２９４−２が下方に露出する長さとしては、刃部２９４−１、２９４−２が最も下方に露出した際の刃部２９４−１、２９４−２の下端が突起部２７６の下端位置と同じ位置又はそれよりも下方となるようにするのが好ましい。
【０１８９】
なお、突起部２７６と突起部３２２ａ−１、３２２ａ−２が設けられていることにより、突起部２７６が台部３２０の上面部に接するとともに、突起部３２２ａ−１、３２２ａ−２がケース部２６０の底面に接した際には、ケース部２６０の底面部と台部３２０の上面部が略平行となり、これにより、刃部２９４−１、２９４−２の下端も台部３２０の上面部とが略平行になるので、確実に白髪を切断することができる。
【０１９０】
また、刃部２９４−１、２９４−２は、互いに平行に一対設けられているので、刃部２９４−１、２９４−２の刃先を台部３２０の上面に安定して接触させることができる。
【０１９１】
その後、操作部２８０の押し操作を解除すると、切断部本体２９０はケース部２６０内を上昇して刃部２９４−１、２９４−２がケース部本体２６１内に収納され、切断部本体２９０がケース部本体２６１内の上端まで至った後に、ケース部２６０がフレーム部２１０に対してケース部２６０の上面部が水平板部２２８ａに当接するまで上昇する。さらに、上側フレーム２２０と下側フレーム２３０とを互いにスライドさせてフレーム部２１０を伸ばすようにすることにより、挟持具４００を挿入する空間が形成される。なお、上側フレーム２２０を下側フレーム２３０に対して上昇させることに伴い、外側ガイド部２４２も上昇するが、内側ガイド部２４４は、突部２４４ｆが台部３２０に掛止してある高さまでしか上昇しないので、結果として、外側ガイド部２４２が内側ガイド部２４４に対して上昇して、ガイド部２４０が伸びることになる。
【０１９２】
なお、刃部２９４−１、２９４−２が摩耗する等して切断部２５０の交換が必要になった場合には、フレーム部２１０を上側フレーム２２０と下側フレーム２３０とに分離し、上側フレーム２２０に取り付けられていた切断部２５０を交換して、再び上側フレーム２２０と下側フレーム２３０とを組み立てればよい。
【０１９３】
また、挟持具４００を毛髪処理器２０５に挿通した状態で保持しておく場合には、挟持具４００の毛髪処理器２０５から突出した先端部分に保持具５００を装着する。すなわち、軸部５３０が固着されたカバー部５１０を挟持具４００の先端の一方の側方に配置し、挟持具４００の先端の側方部分を溝部５１２に収納する。軸部５３０は、一対のレッグ部４１２、４１４の間の位置に通すようにする。その後、カバー部５２０を軸部５３０に取り付けて、保持具５００を挟持具４００の先端に取り付ける。カバー部５２０を軸部５３０に取り付けた状態では、挟持具４００の先端の他の側方を溝部５２２内に収納した状態とする。
【０１９４】
このように保持具５００を挟持具４００の先端に取り付けることにより、毛髪処理器２０５が挟持具４００から抜け落ちて、子供が誤って毛髪処理器２０５を飲み込むことを防止することができる。
【０１９５】
なお、カバー部５２０が軸部５３０と固着されている場合には、挟持具４００をカバー部５１０とカバー部５２０の間の位置に挿入して、軸部５３０が一対のレッグ部４１２、４１４の先端の間に位置するようにして保持具を装着する。
【０１９６】
以上のように、本実施例の毛髪処理器２０５によれば、挟持具４００により白髪を挟持したら、挟持具４００を毛髪処理器２０５に対して取り外した状態として毛髪処理器２０５を白髪の根本にまで移動させて、白髪を切ることができるので、ロングヘアにも対応することができる。特に、本実施例の毛髪処理器２０５と、特許文献１に記載の白髪切り器とを比較すると、特許文献１の白髪切り器においては、挟持具を案内レールに沿ってカッタに対して相対移動させるものであるのに対して、本発明の毛髪処理器２０５では、案内レールの構成をなくすとともに、挟持具４００を毛髪処理器２０５に対して着脱自在として、挟持具４００により毛髪を挟持したら、毛髪処理器２０５を挟持具４００から外して、毛髪処理器２０５を毛髪の根本にまで移動させて毛髪を切ることができるので、特許文献１の白髪切り器と異なりロングヘアにも対応できるようになったものである。
【０１９７】
また、フレーム部２１０が枠状に形成されているので、挟持具４００により一旦捕捉した白髪を脱落させるおそれがなく、確実に捕捉した白髪を切ることができる。特に、切り対象の毛髪をフレーム部２１０内に捕捉してしまえば確実に切ることができるので、頭部の前面のように鏡等を介して目視できる範囲内の白髪の処理のみならず、後頭部や側頭部等の鏡等を使用しても目視しにくい箇所においても一旦白髪をフレーム部２１０内に捕捉してしまえば後は切り対象の白髪に沿って毛髪処理器２０５を根本側にまで移動させて切断すればよいので、目視しにくい場所の白髪も容易に切ることができる。
【０１９８】
また、フレーム部２１０が伸縮自在に構成されていて、フレーム部２１０を最も縮めた状態とすることにより、ケース部２６０は台部３２０に接した状態となり、白髪を切断部２５０と台部３２０と両側のガイド部２４０により囲まれた狭い空間内に位置させることができるので、白髪が毛髪処理器２０５から脱落することがなく、また、フレーム部２１０を縮めた段階では、刃部２９４−１、２９４−２は露出していないので、白髪の途中の位置で誤って切断してしまうことがない。
【０１９９】
また、上記実施例１の場合と異なり、操作部２８０は白髪を切断する際のみに操作すればよく、操作部２８０について半押しと深押しとを行なう必要がないので、操作が極めて容易となる。特に、実施例１のように操作部を半押しした状態で、毛髪処理器を移動させる必要がないので、毛髪処理器の移動を円滑に行なうことができる。
【０２００】
また、フレーム部２１０を縮めた状態で、白髪の根本にまで移動させることができるので、頭部に接する表面積を小さくでき、毛髪処理器をより密接に頭部に密着させることができ、白髪のより根本に近い位置で切断することが可能となる。
【０２０１】
また、フレーム部２１０を縮めた状態で、白髪の根本にまで移動させることができるので、白髪を狭い空間内に位置させることができ、他の頭髪が空間内に入り込むことにより誤って切断してしまうおそれがない。
【０２０２】
また、ケース部２６０と台部３２０との距離を縮める動作をフレーム部２１０を縮めることにより行なうので、操作部２８０は、刃部２９４−１、２９４−２をケース部２６０から露出させるだけのストロークがあればよいので、操作部２８０の長さを短くすることができ、毛髪処理器２０５をより小型化することができるとともに、外観を良好にすることができ、さらには、実施例１と比べてケース部２６０を長く下方に移動させる必要がないので、操作部２８０の押し操作が容易で、ケース部２６０の水平方向のぶれが少なく、ケース部２６０がガイド部２４０に対して接触することによる負担も小さく、毛髪処理器自体の耐久性を高めることができる。
【０２０３】
また、フレーム部２１０にはガイド部２４０が設けられていて、ガイド部２４０は、ケース部２６０や台部３２０が上下動する際のガイドとなるので、ケース部２６０や台部３２０が円滑に上下動することができる。
【０２０４】
また、切断部２５０と台部３２０の間の空間の側方には常にガイド部２４０が位置するので、白髪が該空間から脱落するおそれがない。特に、ガイド部２４０は全体として伸縮することにより、フレーム部２１０が伸縮しても切断部２５０と台部３２０の間の空間の側方には常にガイド部２４０が存在するようにしているので、白髪が該空間から脱落するおそれがない。
【０２０５】
また、フレーム部２１０は、上記のように伸縮する構造となっていて、フレーム部２１０を縮めた状態とすれば毛髪処理器２０５を小さくコンパクトにできるので、保管等に際して小さなスペースで済ますことができる。
【０２０６】
また、フレーム部２１０には、内側天板部２２８が設けられていて、切断部２５０の上面部の位置をフレーム部２１０の上面部２２２ａの底面部よりも下方にできるので、操作部２８０がフレーム部２１０から突出する長さを短くすることができ、これによっても、毛髪処理器２０５をコンパクトな形状にすることができる。
【０２０７】
また、本実施例においては、台部３２０が弾性部３４０に支持された構成となっているので、毛髪処理器２０５は、毛髪切り器としての機能のみならず、後述するように毛抜き機能も有している。つまり、毛髪処理器２０５を用いて毛抜き作業を行う際にも、上記と同様に、抜き対象の毛髪を毛髪処理器２０５に装着した挟持具４００により挟持した後に挟持具４００を毛髪処理器２０５から離脱させ、フレーム部２１０を縮めた状態で毛髪の根本側に毛髪処理器２０５を移動させ、その後、毛髪を台部３２０に乗せた状態で毛髪で台部３２０を下方に押さえるように、毛髪を斜め下方に引っ張る。すると、毛髪を引っ張る力が台部３２０の正面側の角部に伝わり、次に、台部３２０の背面側の角部に伝わり、最後に毛根に伝わる。台部３２０は下方に押さえられることにより弾性部３４０が縮められ、弾性部３４０が縮められた状態からもとに戻ろうとする力に毛根が抗しきれなかった時に、毛髪が毛根から抜ける。このように、毛髪を引っ張る力を台部３２０の正面側の角部と背面側の角部に分散させることにより最小限の力で毛髪を抜くことができ、毛髪を抜く際の痛みを最小限に抑えることができる。つまり、毛髪を挟持具で挟持してそのまま抜く場合には、通常必要以上の力で毛髪を抜いてしまうので痛みを伴うが、本実施例の毛髪処理器の場合には、痛みを最小限に抑えることができる。なお、弾性部に支持された台部による毛抜き機能については実施例３において詳説する。
【０２０８】
また、本実施例においては、フレーム部２１０を縮めた状態で毛髪の根本側に毛髪処理器２０５を移動させることにより、毛髪処理器２０５の背面側（特に、ケース部２６０の背面側と台部３２０の背面側）により毛根の周囲を押さえることができ、毛抜きを行なう際に毛根の周囲の頭皮の隆起を押さえることができるので、毛を抜く際の痛みを軽減することができる。
【０２０９】
また、台部３２０が弾性部３４０に支持されているので、操作部２８０を押し操作して、刃部２９４−１、２９４−２により白髪を切断する際には、台部３２０が下方に移動しながら刃部２９４−１、２９４−２により白髪を切断することになるので、刃部２９４−１、２９４−２が白髪に対してゆっくりした速度で当たることから、細い白髪の場合には、台部３２０が下降する途中の弱い力で切断されるので、白髪に対する負担を軽くでき、また、台部３２０が下降する途中の弱い力で切断できない太い白髪の場合には、台部３２０が最下端にまで下降し切った位置で切断されるので、確実に切断することができる。また、台部３２０が弾性部３４０に支持されているので、刃部２９４−１、２９４−２が台部３２０の上面に対して適度な衝撃で当たることになり、刃部２９４−１、２９４−２の刃先を保護することが可能となる。
【０２１０】
また、本実施例の挟持具４００によれば、グリップ４３０を前方にスライドさせることにより挟持具４００を閉状態に保つことができるので、白髪をフレーム部２１０内に通した後でも挟持具４００で白髪の先端部分を挟持させておくことにより、一旦フレーム部２１０に通した白髪を誤ってフレーム部２１０内から逃してしまうおそれがない。また、白髪をフレーム部２１０内に通した後でも挟持具４００が白髪の先端部分を挟持させておくことができるので、挟持具４００を誤って落としてしまうことがない。
【０２１１】
なお、上記の説明では白髪を切る場合について説明したが、切断する対象となる髪は白髪以外の毛髪にも当然適用でき、特に、本実施例の毛髪処理器２０５によれば、近時問題となっている人間の頭部に生み付けられたシラミの卵の駆除にも用いることができる。
【０２１２】
つまり、シラミの卵は、通常毛根から１．５ｃｍの位置に生み付けられるのが一般的であるが、刃部２９４−２の位置をフレーム部２１０の背面側の端部から１．５ｃｍ未満（好適には、５ｍｍ未満）（つまり、刃部２９４−２の刃先とフレーム部２１０の背面側の端部間の距離を１．５ｃｍ未満（好適には、５ｍｍ未満））とすることにより、シラミの卵が産み付けられた毛髪を除去することができる。また、挟持具４００により一度に複数本の毛髪を挟持できるので、シラミの卵が産み付けられている毛髪及びその周辺の毛髪を一度に除去することができる。また、挟持具４００によれば閉状態を保持できるので、シラミの卵が産み付けられた毛髪を確実に挟持具４００で保持しておくことができ、該毛髪をまき散らすことなく、袋等に入れることが可能となる。
【０２１３】
なお、外側ガイド部２４２の構成を図３６、図３７に示す外側ガイド部２４２’の構成としてもよい。すなわち、外側ガイド部２４２’は、外側ガイド部２４２と略同様の構成であるが、外側ガイド部２４２の構成に加えて、正面部２４２ｂの端部から背面側に連設された帯板状のカバー部２４２ｇと背面部２４２ｃの端部から正面側に連設された帯板状のカバー部２４２ｈとを有している。このカバー部２４２ｇ、２４２ｈの横方向の幅は、内側ガイド部２４４の正面部２４４ｂや背面部２４４ｃに掛止できるだけの長さを有し、図３７に示すように、カバー部２４２ｇの正面部２４２ｂから突出した部分の横方向の長さは、内側ガイド部２４４の正面部２４４ｂの厚みと突部２４４ｄの厚みとを合計した厚みを有しており、カバー部２４２ｈの背面部２４２ｃから突出した部分の横方向の長さは、内側ガイド部２４４の背面部２４４ｃの厚みと突部２４４ｅの厚みとを合計した厚みを有している。このように、外側ガイド部２４２にカバー部２４２ｇ、２４２ｈを設けることにより、内側ガイド部２４４が外側ガイド部２４２に対してぐらつくことがなく、内側ガイド部２４４が外側ガイド部２４２に対して円滑にスライドし、フレーム部２１０を伸縮する際にも円滑に操作することができる。また、切断部２５０を交換する場合に、上側フレーム２２０と下側フレーム２３０とを分離した際に、内側ガイド部２４４が外側ガイド部２４２から外れてしまうのを防止することができる。
【０２１４】
なお、上記の説明において、フレーム部２１０における上側フレーム２２０の側面部２２２ｂ、２２２ｃは、下側フレーム２３０の側面部２３２ｂ、２３２ｃの内側に設けられているが、上側フレームの側面部を下側フレームの外側に配してもよい。その場合には、上側フレームの側面部の内側に帯状突部や中間突部が設けられ、下側フレームの側面の外側に帯状突部や中間突部が設けられることになる。
【０２１５】
また、フレーム２１０において、内側天板部２２８を設けることなく、ケース部２６０がフレーム部２１０の上面部２２２ａの下面に当接し、付勢部３１０の下端がフレーム部２１０の上面部２２２ａの上面に当接する構成としてもよい。
【０２１６】
なお、実施例１の白髪切り器５と、特許文献１に記載の白髪切り器とを比較すると、特許文献１の白髪切り器においては、挟持具を案内レールに沿ってカッタに対して相対移動させるものであるのに対して、本発明の白髪切り器５や毛髪処理器２０５では、挟持具２００（４００）を白髪切り器５（毛髪処理器２０５）に対して着脱自在として、挟持具２００（４００）により毛髪を挟持したら、白髪切り器５（毛髪処理器２０５）を挟持具２００（４００）から外して、白髪切り器５（毛髪処理器２０５）を毛髪の根本にまで移動させて毛髪を切ることができるので、特許文献１の白髪切り器と異なりロングヘアにも対応できるようになったものである。
【０２１７】
なお、上記毛髪処理器２０５は、主として金属製であるとして説明したが、これには限られず、他の素材により形成してもよく、例えば、合成樹脂により形成してもよい。
【０２１８】
その場合には、例えば、刃部２９４−１、２９４−２と、付勢部３０６と、付勢部３１０と、弾性部３４０を除く構成を合成樹脂により形成し、上側フレーム２２０と外側ガイド部２４２とを全体に一体に形成し、下側フレーム２３０と座部２４９とを全体に一体に形成し、また、ケース部２６０と、操作部２８０と、台部３２０とをそれぞれ全体に一体に形成する。
【実施例３】
【０２１９】
次に、実施例３について説明する。この実施例３は毛髪抜き器であり、毛髪抜き器６０５は、図３８、図３９に示すように構成され、フレーム部６１０と、ガイド部６４０と、台部６５０と、押さえ部６７０と、弾性部６８０と、弾性部６９０とを有している。
【０２２０】
ここで、フレーム部６１０は、実施例１のフレーム部１０と略同様の構成であり、フレーム部６１０は、フレーム部本体６１１と、座部６３０、６３２とを有し、全体に四角筒状を呈している。このフレーム部６１０は、金属製である。
【０２２１】
ここで、フレーム部本体６１１は、上面部６１２と、側面部６１４と、底面部６１６と、側面部６１８とを有している。上面部６１２と底面部６１６とはともに方形状の板状を呈し、互いに略平行に形成されている。また、側面部６１４と側面部６１８とは、長方形状の板状を呈し、互いに略平行に形成されている。
【０２２２】
このフレーム部本体６１１を構成する部材は、図３９に示すように、フレーム部用部品６１１ａと、フレーム部用部品６１１ｂとから構成され、フレーム部用部品６１１ａは、方形状の板状の上面部６１２と、上面部６１２の右側の辺部から下方に連設された側面部６１４ａと、上面部６１２の左側の辺部から下方に連設された側面部６１８ａとから構成され、細長長方形状の金属製板状部材を折曲した形状となっている。側面部６１４ａと側面部６１８ａとは、長方形状の板状を呈している。また、フレーム部用部品６１１ｂは、方形状の板状の底面部６１６と、底面部６１６の右側の辺部から上方に連設された側面部６１４ｂと、底面部６１６の左側の辺部から上方に連設された側面部６１８ｂとから構成され、細長長方形状の金属製板状部材を折曲した形状となっている。側面部６１４ｂと側面部６１８ｂとは、長方形状の板状を呈している。
【０２２３】
フレーム部本体６１１は、フレーム部用部品６１１ａとフレーム部用部品６１１ｂとを対向した状態で重ね合わせて、側面部６１８ａの内側に側面部６１８ｂが接し、側面部６１４ａの内側に側面部６１４ｂが接した状態として、全体にフレーム状に形成する。つまり、側面部６１４ａと側面部６１４ｂとを接着させることにより、側面部６１４ａと側面部６１４ｂとによって側面部６１４が構成され、側面部６１８ａと側面部６１８ｂとを接着させることにより、側面部６１８ａと側面部６１８ｂとによって側面部６１８が構成される。
【０２２４】
また、上面部６１２の上面には、ドーム状の突状部６２０が設けられている。この突状部６２０は、毛髪抜き器６０５を操作する際の滑り止めとして機能する。
【０２２５】
また、座部６３０は、底面部６１６の上面に固定された方形状の板状の部材であり、実施例１における座部１９と同様に、略Ｈ字状の切込み部が形成され、この切込み部により形成された一対の片部を座部６３０の上面側に折り返すことにより弾性部６８０の下端を取り付けることができるようになっている。座部６３０は、底面部６１６に対して接着剤により固定されている。また、座部６３２も、上記座部６３０と同様の構成であって、上面部６１２の下面に固定された方形状の板状の部材であり、略Ｈ字状の切込み部が形成され、この切込み部により形成された一対の片部を座部６３２の下面側に折り返すことにより弾性部６９０の上端を取り付けることができるようになっている。座部６３２は、上面部６１２に対して接着剤により固定されている。
【０２２６】
また、ガイド部６４０は、フレーム部６１０の側面部６１４の内側と側面部６１８の内側に固定され、略コ字状の板状部材を２枚重ねたものであり、外側に位置するガイド部６４２は、板状部材を略コ字状に折曲することにより、方形状の側面部６４２ａと、側面部６４２ａの正面側の端部から側面部６４２ａに対して直角に内側に連設された縦長帯状の正面部６４２ｂと、側面部６４２ａの背面側の端部から側面部６４２ａに対して直角に内側に連設された縦長帯状の背面部６４２ｃとを有している。内側に位置するガイド部６４４もガイド部６４２と同様の構成であり、板状部材を略コ字状に折曲することにより、方形状の側面部６４４ａと、側面部６４４ａの正面側の端部から側面部６４４ａに対して直角に内側に連設された縦長帯状の正面部６４４ｂと、側面部６４４ａの背面側の端部から側面部６４４ａに対して直角に内側に連設された縦長帯状の背面部６４４ｃとを有している。ガイド部６４２とガイド部６４４とは互いに重ねた状態で接着され、ガイド部６４２の側面部６４２ａは、側面部６１４ａの内側と側面部６１８ａの内側に接着されている。
【０２２７】
また、台部６５０は、実施例２の台部３２０と同様の構成であり、上面部６５２と、正面部６５４と、側面部６５６と、側面部６５８と、背面部６６０と、挟持具ガイド部６６２とを有し、底面側が開口したケース状を呈している。台部６５０の構成は、実施例２の台部３２０と同様の構成であるので詳しい説明を省略するが、上面部６５２を構成する台部用部品の下側の台部用部品に形成された略Ｈ状の切込み部により形成された一対の片部を下側に折り返すことにより弾性部６８０の上端を取り付けることができるようになっている。また、上面部６５２の上面には、円柱状の突起部６２２ａ−１、６２２ａ−２が設けられている。
【０２２８】
また、押さえ部６７０は、上記台部６５０と同様の構成であり、台部６５０を上下逆にした構成となっている。なお、台部６５０の上面には、２つの突起部６２２ａ−１、６２２ａ−２が設けられているが、押さえ部６７０には、その下面に、４つの突起部が設けられている。つまり、押さえ部６７０の下面の左右の両端に２つずつ突起部が設けられている。すなわち、押さえ部６７０の下面の左側の辺部に沿って間隔を介して２つの突起部が設けられ、押さえ部６７０の下面の右側の辺部に沿って間隔を介して２つの突起部が設けられている。また、押さえ部６７０には、弾性部６９０の上端が取り付けられている。
【０２２９】
また、弾性部６８０は、フレーム部６１０（すなわち、座部６３０）と台部６５０との間に設けられ、つるまきばねにより構成されている。また、弾性部６９０は、フレーム部６１０（すなわち、座部６３２）と押さえ部６７０との間に設けられ、つるまきばねにより構成されている。なお、弾性部６８０の付勢力は、弾性部６９０の付勢力よりも大きく形成されている。
【０２３０】
なお、台部６５０と押さえ部６７０との間の距離は、挟持具４００（又は挟持具２００）を毛髪抜き器６０５により支持することができるように、挟持具４００（又は挟持具２００）の幅よりも小さく形成され、挟持具を台部６５０と押さえ部６７０の間の隙間に挿通することにより挟持具を保持できるようになっている。また、弾性部６８０と弾性部６９０の弾性力は、支持させた挟持具の一対のレッグ部が閉状態とならない程度の強さにする必要がある。
【０２３１】
上記構成の毛髪抜き器６０５の使用状態について説明する。使用する挟持具については、挟持具４００でも挟持具２００でもよいが、挟持具４００を例にとって説明する。
【０２３２】
挟持具４００を台部６５０と押さえ部６７０との間の位置に挿入して、挟持具４００を台部６５０と押さえ部６７０との間に支持させる。なお、挟持具４００を支持させるに当たっては、挟持具４００を構成する一対のレッグ部４１２とレッグ部４１４の一方を台部６５０の上面に当接させ、他方を押さえ部６７０の下面に当接させるようにする。
【０２３３】
なお、弾性部６９０の付勢力が弾性部６８０の付勢力よりも小さいので、弾性部６９０の付勢力を挟持具４００を保持できる程度に十分小さくすることにより、挟持具４００を台部６５０と押さえ部６７０とで保持した際に、挟持具４００の一対のレッグ部が閉じてしまうのを防ぐことができる。
【０２３４】
また、挟持具４００を毛髪抜き器６０５に支持させる際には、台部６５０と押さえ部６７０に挟持具ガイド部が設けられているので、この挟持具ガイド部が設けられている側から挟持具４００の先端を挿入することにより、円滑に台部６５０と押さえ部６７０間に挟持具４００が支持される。
【０２３５】
以上のように、挟持具４００を毛髪抜き器６０５に支持させたら、抜き対象の毛髪（この場合の毛髪は白髪を含む意味である）を挟持具４００によって挟持する。挟持具４００により毛髪を挟持したら、挟持具４００によって毛髪を挟持した状態で、挟持具４００を毛髪抜き器６０５から離脱させる。挟持具４００により毛髪を挟持する方法や、挟持具４００を毛髪抜き器６０５から離脱させる際に、グリップ４３０をスライドさせて挟持具４００の閉状態を保持させる方法は上記実施例２と同様であるので、詳しい説明を省略する。挟持具４００を毛髪抜き器６０５から離脱させたら、挟持具４００によって毛髪を挟持した状態で、毛髪抜き器６０５を毛髪の根本側に移動させる。
【０２３６】
毛髪抜き器６０５を毛髪の根本付近にまで移動させたら、毛髪を台部６５０に乗せた状態で毛髪で台部６５０を下方に押さえるように、図４０（ａ）に示すように、毛髪Ｍを斜め下方に引っ張る。すると、毛髪Ｍを引っ張る力が台部６５０の正面側の角部６５０Ｋ−１に伝わり、次に、台部６５０の背面側の角部６５０Ｋ−２に伝わり、最後に毛根に伝わる。台部６５０は下方に押さえられることにより弾性部６８０が縮められ（図４０（ｂ））、弾性部６８０が縮められた状態からもとに戻ろうとする力に毛根が抗しきれなかった時に、毛髪Ｍが毛根から抜ける（図４０（ｃ））。このように、毛髪Ｍを引っ張る力を台部６５０の背面側の角部と正面側の角部に分散させることにより最小限の力で毛髪を抜くことができ、毛髪を抜く際の痛みを最小限に抑えることができる。つまり、毛髪を挟持具で挟持してそのまま抜く場合には、通常必要以上の力で毛髪を抜いてしまうので痛みを伴うが、本実施例の毛髪抜き器の場合には、痛みを最小限に抑えることができる。
【０２３７】
なお、上記実施例１の白髪切り器５においても台部１００が設けられ、実施例２の毛髪処理器２０５においても台部３２０が設けられているので、上記と同様に毛抜き機能を果たすことができる。つまり、上記と同様に、台部１００、３２０を毛髪で押さえながら毛髪を引っ張る操作をすることにより、痛みを最小限にして毛髪を抜くことができる。
【０２３８】
なお、上記毛髪抜き器６０５は、主として金属製であるとして説明したが、これには限られず、他の素材により形成してもよく、例えば、合成樹脂により形成してもよい。その場合には、例えば、弾性部６８０と、弾性部６９０を除く構成を合成樹脂により形成し、フレーム部６１０とガイド部６４０とを全体に一体に形成し、台部６５０と、押さえ部６７０とをそれぞれ全体に一体に形成する。
【０２３９】
なお、上記実施例１の白髪切り器５においては、弾性部１３０の上端に支持された台部１００が設けられ、上記実施例２の毛髪処理器２０５においては、弾性部３４０の上端に支持された台部３２０が設けられているので、白髪切り器５や毛髪処理器２０５は、上記実施例３の毛髪抜き器の機能を有しているといえる。なお、実施例２において、台部３２０を弾性部３４０を介さずに直接フレーム部２１０（具体的には、下側フレーム２３０）に固定する方法も考えられるが、そのような構成（実施例２の変形例とする）の場合には、実施例３のような毛抜き機能を有さないことになる。そのようなことからすると、上記実施例２の構成は、該実施例２の変形例と、実施例３の構成（特に、台部を弾性部により支持する点）とを合体させたものといえる。
【図面の簡単な説明】
【０２４０】
【図１】本発明の実施例に基づく白髪切り器の構成を示す前方斜視図である（実施例１）。
【図２】本発明の実施例に基づく白髪切り器の構成を示す正面図である（実施例１）。
【図３】本発明の実施例に基づく白髪切り器の構成を示す後方斜視図である（実施例１）。
【図４】フレーム部本体の構成を示す分解斜視図である（実施例１）。
【図５】切断部の構成を示す上方斜視図である（実施例１）。
【図６】切断部の構成を示す下方斜視図である（実施例１）。
【図７】本発明の実施例に基づく白髪切り器の構成を示す要部断面図である（実施例１）。
【図８】切断部の構成を示す分解斜視図である（実施例１）。
【図９】台部と弾性部と座部の構成を示す斜視図である（実施例１）。
【図１０】台部と弾性部と座部の構成を示す分解斜視図である（実施例１）。
【図１１】台部用部品の展開図である（実施例１）。
【図１２】本発明の実施例に基づく白髪切り器の使用状態を示す斜視図である（実施例１）。
【図１３】本発明の実施例に基づく白髪切り器の使用状態を示す斜視図である（実施例１）。
【図１４】本発明の実施例に基づく白髪切り器の使用状態を示す斜視図である（実施例１）。
【図１５】本発明の実施例に基づく白髪切り器の使用状態を示す斜視図である（実施例１）。
【図１６】本発明の実施例に基づく毛髪処理器の構成を示す前方斜視図である（実施例２）。
【図１７】本発明の実施例に基づく毛髪処理器の構成を示す前方斜視図である（実施例２）。
【図１８】本発明の実施例に基づく毛髪処理器の構成を示す前方斜視図であり、フレーム部を縮めた状態の前方斜視図である（実施例２）。
【図１９】本発明の実施例に基づく毛髪処理器の構成を示す要部断面図である（実施例２）。
【図２０】図１６におけるＰ−Ｐ断面図である（実施例２）。
【図２１】フレーム部の構成を示す前方斜視図である（実施例２）。
【図２２】フレーム部の構成を示す分解斜視図である（実施例２）。
【図２３】切断部の構成を示す上方斜視図である（実施例２）。
【図２４】切断部の構成を示す下方斜視図である（実施例２）。
【図２５】切断部の構成を示す分解斜視図である（実施例２）。
【図２６】台部と弾性部と座部の構成を示す斜視図である（実施例２）。
【図２７】台部と弾性部と座部の構成を示す分解斜視図である（実施例２）。
【図２８】本発明の実施例に基づく挟持具の構成を示す斜視図である（実施例２）。
【図２９】本発明の実施例に基づく挟持具の構成を示す斜視図であり、挟持具を閉状態としてロックした状態を示す斜視図である（実施例２）。
【図３０】毛髪処理器の使用状態を示す斜視図であり、挟持具を毛髪処理器に挿通した状態を示す斜視図である（実施例２）。
【図３１】毛髪処理器の使用状態を示す斜視図であり、毛髪を挟持具により挟持した状態を示す斜視図である（実施例２）。
【図３２】毛髪処理器の使用状態を示す斜視図であり、挟持具から毛髪処理器を離脱させた状態を示す斜視図である（実施例２）。
【図３３】毛髪処理器の使用状態を示す斜視図であり、フレーム部を縮めた状態を示す斜視図である（実施例２）。
【図３４】挟持具を毛髪処理器に挿通し、保持具を装着した状態を示す斜視図である（実施例２）。
【図３５】保持具の構成を示す分解斜視図である（実施例２）。
【図３６】外側ガイド部の他の例を示す斜視図である（実施例２）。
【図３７】図３６の外側ガイド部を用いた場合の図１６におけるＰ−Ｐ断面図である。
【図３８】本発明の実施例に基づく毛髪抜き器の構成を示す斜視図である（実施例３）。
【図３９】本発明の実施例に基づく毛髪抜き器の構成を示す分解斜視図である（実施例３）。
【図４０】毛髪抜き器の使用状態を示す説明図である（実施例３）。
【符号の説明】
【０２４１】
５  白髪切り器
２０５  毛髪処理器
１０、２１０、６１０  フレーム部
１２  上面部
１４、１８  側面部
１９、２４９、６３０、６３２  座部
１６、４２  底面部
２０、２５０  切断部
３０、２６０  ケース部
３１、２６１  ケース部本体
４６、２７６、３２２ａ−１、３２２ａ−２  突起部
５０、２８０  操作部
５２、２８２  筒状部
５４、２８４、４３２  頭部
６０、２９０  切断部本体
６４−１、６４−２、２９４−１、２９４−２  刃部
７０、３００  棒状部
７６、８０、３０６、３１０  付勢部
１００、３２０、６５０  台部
１３０、３４０、６８０、６９０  弾性部
２２０  上側フレーム
２３０  下側フレーム
２４０、４４０、６４０  ガイド部
２４２、２４２’  外側ガイド部
２４４  内側ガイド部
２７４、３３２  挟持具ガイド部
４００  挟持具
４１０  挟持具本体
４２０、４３０  グリップ
４２６  被掛止部
４５０  止め部
５００  保持具
５１０、５２０  カバー部
５３０  軸部
６０５  毛髪抜き器
６７０  押さえ部
【図１】
2008220942.tif 000003
【図２】
2008220942.tif 000004
【図３】
2008220942.tif 000005
【図４】
2008220942.tif 000006
【図５】
2008220942.tif 000007
【図６】
2008220942.tif 000008
【図７】
2008220942.tif 000009
【図８】
2008220942.tif 000010
【図９】
2008220942.tif 000011
【図１０】
2008220942.tif 000012
【図１１】
2008220942.tif 000013
【図１２】
2008220942.tif 000014
【図１３】
2008220942.tif 000015
【図１４】
2008220942.tif 000016
【図１５】
2008220942.tif 000017
【図１６】
2008220942.tif 000018
【図１７】
2008220942.tif 000019
【図１８】
2008220942.tif 000020
【図１９】
2008220942.tif 000021
【図２０】
2008220942.tif 000022
【図２１】
2008220942.tif 000023
【図２２】
2008220942.tif 000024
【図２３】
2008220942.tif 000025
【図２４】
2008220942.tif 000026
【図２５】
2008220942.tif 000027
【図２６】
2008220942.tif 000028
【図２７】
2008220942.tif 000029
【図２８】
2008220942.tif 000030
【図２９】
2008220942.tif 000031
【図３０】
2008220942.tif 000032
【図３１】
2008220942.tif 000033
【図３２】
2008220942.tif 000034
【図３３】
2008220942.tif 000035
【図３４】
2008220942.tif 000036
【図３５】
2008220942.tif 000037
【図３６】
2008220942.tif 000038
【図３７】
2008220942.tif 000039
【図３８】
2008220942.tif 000040
【図３９】
2008220942.tif 000041
【図４０】
2008220942.tif 000042